(57)【要約】      （修正有）【課題】携帯メディアプレーヤ（ＰＭＰ）がメディアコンテンツを受信するために、公共の場所に１つ又は複数の無線アクセスポイントを有するキオスクの配置に対して、ビジネスインセンティブによって、コンテンツ配信を改良する。【解決手段】ＰＭＰの加入ユーザ、キオスクを提供するベンダ及びコンテンツ配布システムのネットワーク中央制御器間の協調により、ネットワークから経済的で望ましい低データレートの通信リンクを通じてキオスクにビデオコンテンツを事前配置すること並びにキオスクからＰＭＰのダウンロード、ＰＭＰ間のピアツーピア（Ｐ２Ｐ）ダウンローディング及びＰＭＰからキオスクへアップロードすること、の連携した待ち行列作成並びに配布におけるそのような参加に見合う請求／支払いをすること並びに顧客のプロファイルを反映するためにキオスクにおけるコンテンツの事前配置の優先度／選択を変更すること、を含む。【選択図】図５
2015201862.tif 000002
【特許請求の範囲】
【請求項１】
無線でメディアコンテンツを取得するための方法であって、
ユーザインターフェースを介してユーザからメディアコンテンツ選択を受信することと、
ローカル記憶装置からの前記選択されたメディアコンテンツにアクセス済みの無線アクセスポイントからの前記選択されたメディアコンテンツの第１の部分を受信することと、
無線通信チャネルからの前記選択されたメディアコンテンツの第２の部分を要求することおよび受信することと、
前記選択されたメディアコンテンツの少なくとも一部分の受信をネットワーク制御器へ報告することと、
を備える方法。
【請求項２】
前記無線通信チャネルの前記プロバイダは、別の加入携帯デバイスである、請求項１に記載の方法。
【請求項３】
前記無線通信チャネルの前記プロバイダは、別のベンダ提供アクセスポイントである、請求項１に記載の方法。
【請求項４】
前記選択は、前記ベンダ提供アクセスポイントおよび前記無線通信チャネルによる通信カバレッジの外のとき、前記ユーザインターフェースを介して前記ユーザからなされる、請求項１に記載の方法。
【請求項５】
ダウンロードの進行を前記ユーザインターフェースを介して前記ユーザに表示することをさらに備える、請求項１に記載の方法。
【請求項６】
ディスプレイモニタによる再生のために前記格納されたメディアコンテンツを送信することをさらに備える、請求項１に記載の方法。
【請求項７】
前記ベンダ提供アクセスポイントからの前記加入携帯デバイスに格納されたメディアコンテンツに対する要求を受信することと、
前記要求されたメディアコンテンツを加入者支払いを受けるために無線でアップロードすることと、
をさらに備える、請求項１に記載の方法。
【請求項８】
ビーコン信号を受信することをさらに備える、請求項１に記載の方法。
【請求項９】
前記ビーコン信号に基づいてカバレッジエリア表示を表示することをさらに備える、請求項８に記載の方法。
【請求項１０】
ビーコン信号を送信することをさらに備える、請求項１に記載の方法。
【請求項１１】
電力節減のために休止サイクルを実行することをさらに備える、請求項１に記載の方法。
【請求項１２】
前記ベンダ提供アクセスポイントおよび前記無線通信チャネルとの通信カバレッジの外にあるという決定に応答して、無線通信に対して前記休止サイクルに入ることをさらに備える、請求上１０に記載の方法。
【請求項１３】
前記休止サイクルの稼働期間中にビーコン信号を送信することをさらに備える、請求項１１に記載の方法。
【請求項１４】
前記加入者の携帯デバイスの動きを検知することに応答して前記休止サイクルの期間を調整することをさらに備える、請求項１１に記載の方法。
【請求項１５】
前記加入者の携帯デバイスの、前記ベンダ提供アクセスポイントの既知の位置との相対的な地理的位置を検知することに応答して、休止サイクルの期間を調整することをさらに備える、請求項１１に記載の方法。
【請求項１６】
前記加入者の携帯デバイスとホームキオスクとの間でメディアコンテンツを同期させることをさらに備える、請求項１に記載の方法。
【請求項１７】
前記加入者の携帯デバイスの構成要素であるユーザインターフェースを介してユーザからメディアコンテンツ選択を受信することと、
受信された後および前記構成要素のユーザインターフェースにローカルに格納された後に前記メディアコンテンツを再生することと、
をさらに備える、請求項１に記載の方法。
【請求項１８】
複数の利用可能な選択肢を備えるメディアコンテンツカタログを受信することをさらに備える、請求項１に記載の方法。
【請求項１９】
メディアコンテンツのカテゴリーを備える選択を受信することをさらに備える、請求項１に記載の方法。
【請求項２０】
メディアコンテンツの問い合わせを備える選択を受信することをさらに備える、請求項１に記載の方法。
【請求項２１】
無線でメディアコンテンツを取得するための少なくとも１つのプロセッサであって、
ユーザインターフェースを介してユーザからメディアコンテンツ選択を受信するための第１のモジュールと、
無線アクセスポイントを介してローカル記憶装置からの前記選択されたメディアコンテンツの第１の部分を受信しおよび格納するための第２のモジュールと、
無線通信チャネルからの前記選択されたメディアコンテンツの第２の部分を要求しおよび受信するための第３のモジュールと、
前記選択されたメディアコンテンツの少なくとも一部分の受信をネットワーク制御器へ報告するための第４のモジュールと、
を備えるプロセッサ。
【請求項２２】
無線でメディアコンテンツを取得するための計算機プログラム製品であって、
計算機に、ユーザインターフェースを介してユーザからメディアコンテンツ選択を受信させるための命令の第１のセットと、
前記計算機に、無線アクセスポイントを介してローカル記憶装置からの前記選択されたメディアコンテンツの第１の部分を受信させおよび格納させるための命令の第２のセットと、
前記計算機に、無線通信チャネルからの前記選択されたメディアコンテンツの第２の部分を要求させおよび受信させるための命令の第３のセットと、
前記計算機に、前記選択されたメディアコンテンツの少なくとも一部分の受信をネットワーク制御器へ報告させるための命令の第４のセットと、
を備える計算機可読記憶媒体、
を備える計算機プログラム製品。
【請求項２３】
無線でメディアコンテンツを取得するための装置であって、
ユーザインターフェースを介してユーザからメディアコンテンツ選択を受信するための手段と、
無線アクセスポイントを介してローカル記憶装置からの前記選択されたメディアコンテンツの第１の部分を受信しおよび格納するための手段と、
無線通信チャネルからの前記選択されたメディアコンテンツの第２の部分を要求しおよび受信するための手段と、
前記選択されたメディアコンテンツの少なくとも一部分の受信をネットワーク制御器へ報告するための手段と、
を備える装置。
【請求項２４】
無線でメディアコンテンツを取得するための装置であって、
アクセスかユーザからメディアコンテンツ選択を受信するためのユーザインターフェースと、
ローカル記憶装置内の前記選択されたメディアコンテンツにアクセスする無線アクセスポイントからの前記選択されたメディアコンテンツの第１の部分を受信するための、並びに無線通信チャネルからの前記選択されたメディアコンテンツの第２の部分を要求しおよび受信するための、通信モジュールと、
前記選択されたメディアコンテンツの少なくとも一部分の受信を前記通信モジュールを介してネットワーク制御器へ報告するためのコンテンツ配布制御器と、
を備える装置。
【請求項２５】
動きセンサをさらに含み、前記コンテンツ配布制御器が前記通信モジュールの休止サイクルを調整するために前記動きセンサに応答する、請求項２４に記載の装置。
【請求項２６】
位置決定モジュールをさらに含み、前記コンテンツ配布制御器が前記通信モジュールの休止サイクルを調整するため、および位置を前記ネットワーク制御器へ報告するために、前記位置決定モジュールに応答する、請求項２４に記載の装置。
【請求項２７】
前記ユーザインターフェースは、メディアコンテンツの選択および受信されたメディアコンテンツの再生のための、前記加入者の携帯デバイスの構成要素であるグラフィカルユーザインターフェースを備える、請求項２４に記載の装置。
【請求項２８】
メディアコンテンツを前記携帯デバイスと同期させるためのホームキオスクと、
前記メディアコンテンツを再生するために前記ホームキオスクと交信するディスプレイモニタと、
をさらに備える、請求項２４に記載の装置。
【請求項２９】
複数の利用可能な選択肢を備えるメディアコンテンツカタログを受信するための前記ユーザインターフェースをさらに備える、請求項２４に記載の装置。
【請求項３０】
メディアコンテンツのカテゴリーを備える選択を受信するための前記ユーザインターフェースをさらに備える、請求項２４に記載の装置。
【請求項３１】
メディアコンテンツの問い合わせを備える選択を受信するための前記ユーザインターフェースをさらに備える、請求項２４に記載の装置。
【請求項３２】
無線でメディアコンテンツを配布するための方法であって、
ユーザインターフェースを介してユーザからメディアコンテンツ選択を受信することと、
無線アクセスポイントを介してローカル記憶装置からの前記選択されたメディアコンテンツの第１の部分を、加入者の携帯デバイスへ送信することと、
無線通信チャネルからの前記選択されたメディアコンテンツの第２の部分を送信することと、
前記選択されたメディアコンテンツの少なくとも一部分の受信のネットワーク制御器への報告を受信することと、
を備える方法。
【請求項３３】
前記無線通信チャネルの前記プロバイダは、別の加入携帯デバイスである、請求項３２に記載の方法。
【請求項３４】
前記無線通信チャネルの前記プロバイダは、別のベンダ提供アクセスポイントである、請求項３２に記載の方法。
【請求項３５】
前記選択されたメディアコンテンツの前記第２の部分を、前記選択されたメディアコンテンツの前記ダウンロードの完了が遅延していると決定することに応答して、バックホールネットワークとしてセルラー電話通信チャネルから送信することをさらに備える、請求項３２に記載の方法。
【請求項３６】
低データレートの公衆回線網を介して複数のメディアコンテンツを複数のベンダアクセスポイントへ送信することと、
前記複数のメディアコンテンツの前記送信を反映するために前記カタログの配布を更新することと、
をさらに備える、請求項３２に記載の方法。
【請求項３７】
前記加入者の携帯デバイスによってメディアコンテンツの前記選択を認証することと、
前記加入者の携帯デバイスに対する位置報告を受信することと、
前記加入者の携帯デバイスと将来交信することになると予測されるベンダアクセスポイントへの前記メディアコンテンツの送信を優先することと、
をさらに備える、請求項３２に記載の方法。
【請求項３８】
加入者の携帯デバイスに、前記要求されたメディアコンテンツをベンダアクセスポイントへ無線でアップロードすることに対して支払うことをさらに備える、請求項３２に記載の方法。
【請求項３９】
休止サイクルの稼働期間中に、前記加入者の携帯デバイスによる受信のためのビーコンを送信することをさらに備える、請求項３２に記載の方法。
【請求項４０】
ローカルに利用可能な選択肢を反映するためにメディアコンテンツの実行できる選択肢にグラフィカルに注をつけることをさらに備える、請求項３２に記載の方法。
【請求項４１】
前記ネットワーク制御器において前記選択されたメディアコンテンツのダウンロードの進行を追跡することをさらに備える、請求項３２に記載の媒体。
【請求項４２】
ウェブポータルを介してユーザインターフェースを介してユーザからメディアコンテンツ選択を受信することと、
加入者および前記加入者の携帯デバイスを認証することと、
前記選択されたメディアコンテンツのダウンロードおよび再生のための許可を提供することと、
をさらに備える、請求項３２に記載の方法。
【請求項４３】
広告コンテンツを前記メディアコンテンツと組み合わせることをさらに備える、請求項３２に記載の方法。
【請求項４４】
選択された表示品質と伝送レートに対して前記メディアコンテンツをディジタル圧縮することをさらに備える、請求項３２に記載の方法。
【請求項４５】
前記メディアコンテンツの少なくとも一部分の受信の前記報告に基づいて請求トランザクションを開始することをさらに備える、請求項３２に記載の方法。
【請求項４６】
前記メディアコンテンツの少なくとも一部分の配信に基づいて仲介者への支払い請求（ｂｉｌｌｉｎｇ  ｃｒｅｄｉｔ）を開始することをさらに備える、請求項４５に記載の方法。
【請求項４７】
前記加入者の携帯デバイスに対するアカウントへの負債請求（ｂｉｌｌｉｎｇ  ｄｅｂｉｔ）を開始することをさらに備える、請求項４５に記載の方法。
【請求項４８】
複数の利用可能な選択肢を備えるメディアコンテンツカタログをさらに備える、請求項３２に記載の方法。
【請求項４９】
メディアコンテンツのカテゴリーを備える選択を受信することをさらに備える、請求項３２に記載の方法。
【請求項５０】
メディアコンテンツの問い合わせを備える選択を受信することをさらに備える、請求項３２に記載の方法。
【請求項５１】
無線でメディアコンテンツを配布するための少なくとも１つのプロセッサであって、
ユーザインターフェースを介してユーザからメディアコンテンツ選択を受信するための第１のモジュールと、
無線アクセスポイントを介してローカル記憶装置からの前記選択されたメディアコンテンツの第１の部分を、加入者の携帯デバイスへ送信するための第２のモジュールと、
無線通信チャネルからの前記選択されたメディアコンテンツの第２の部分を送信するための第３のモジュールと、
前記選択されたメディアコンテンツの少なくとも一部分の受信のネットワーク制御器への報告を受信するための第４のモジュールと、
を備えるプロセッサ。
【請求項５２】
無線でメディアコンテンツを配布するための計算機プログラム製品であって、
計算機に、ユーザインターフェースを介してユーザからメディアコンテンツ選択を受信させるための命令の第１のセットと
前記計算機に、無線アクセスポイントを介してローカル記憶装置からの前記選択されたメディアコンテンツの第１の部分を、加入者の携帯デバイスへ送信させるための命令の第２のセットと、
前記計算機に、無線通信チャネルからの前記選択されたメディアコンテンツの第２の部分を送信させるための命令の第３のセットと、
前記計算機に、前記選択されたメディアコンテンツの少なくとも一部分の受信のネットワーク制御器への報告を受信させるための命令の第４のセットと、
を備える計算機可読記憶媒体、
を備える計算機プログラム製品。
【請求項５３】
無線でメディアコンテンツを配布するための装置であって、
ユーザインターフェースを介してユーザからメディアコンテンツ選択を受信するための手段と、
無線アクセスポイントを介してローカル記憶装置からの前記選択されたメディアコンテンツの第１の部分を、加入者の携帯デバイスへ送信するための手段と、
無線通信チャネルからの前記選択されたメディアコンテンツの第２の部分を送信するための手段と、
前記選択されたメディアコンテンツの少なくとも一部分の受信のネットワーク制御器への報告を受信するための手段と、
を備える装置。
【請求項５４】
無線でメディアコンテンツを配布するための装置であって、
ユーザインターフェースを介してユーザからメディアコンテンツ選択を受信するための通信モジュールと、
ローカル記憶装置からの前記選択されたメディアコンテンツの第１の部分を、加入者の携帯デバイスへ送信するためのベンダアクセスポイントと、
前記選択されたメディアコンテンツの第２の部分を送信するための無線通信チャネルと、
前記選択されたメディアコンテンツの少なくとも一部分の受信のネットワーク制御器への報告を受信するための請求モジュールと、
を備える装置。
【請求項５５】
ダウンロードデータを位置によって観測することと、
前記観測されたデータに基づいて前記ベンダアクセスポイントの前記ローカル記憶装置へのコンテンツ送信の優先順位をつけ直すことと、
をさらに備える、請求項５４に記載の装置。
【請求項５６】
駐車場の少なくとも一部分の無線カバレッジに対して配置された複数のアンテナと、
前記ローカル記憶装置と、
駐車中の車両に置かれた前記加入者の携帯デバイスへ前記ローカル記憶装置から送信するために前記複数のアンテナを介して無線で通信する複数のアクセスポイントと、
をさらに備える、請求項５４に記載の装置。
【請求項５７】
歩道橋の少なくとも一部分の無線カバレッジに対する複数のアンテナと、
前記ローカル記憶装置と、
前記歩道橋に沿って運ばれる前記加入者の携帯デバイスへ前記複数のアンテナを介して無線で通信する複数のアクセスポイントと、
をさらに備える、請求項５６に記載の装置。
【請求項５８】
前記メディアコンテンツの少なくとも一部分の受信の前記報告によって開始される請求トランザクションを実行するための請求部品をさらに備える、請求項５４に記載の装置。
【請求項５９】
前記メディアコンテンツの少なくとも一部分の配信に対する仲介者への支払い請求を実行するための前記請求部品をさらに備える、請求項５６に記載の装置。
【請求項６０】
前記加入者の携帯デバイスのアカウントに負債請求を実行する前記請求部品をさらに備える、請求項５４に記載の装置。
【請求項６１】
複数の利用可能な選択肢を備えるメディアコンテンツカタログを送るための通信モデルをさらに備える、請求項５４に記載の装置。
【請求項６２】
メディアコンテンツのカテゴリーを備える選択を受信するための前記通信モジュールをさらに備える、請求項５４に記載の装置。
【請求項６３】
メディアコンテンツの問い合わせを備える選択を受信するための前記通信モジュールをさらに備える、請求項５４に記載の装置。
【発明の詳細な説明】
【技術分野】
【０００１】
ここに開示される態様は、無線アクセスポイントをサップする（ｓｕｐ）地理的に配置されたキオスクを介して、メディアコンテンツを移動通信デバイスへ配布する通信ネットワークに関する。詳細には、断続的なカバレッジエリアにおける無線ダウンロードによる加入ベースの配布サービスを提供することに関する。
【背景技術】
【０００２】
ユーザは多くの固定および移動双方の多様なデバイスによるメディアコンテンツへの連続したアクセスを望む。セット・トップ・ボックス（ｓｅｔ  ｔｏｐ  ｂｏｘ）から「ペイ・パー・ビュー」（ｐａｙ  ｐｅｒ  ｖｉｅｗ）加入でメディアコンテンツを高速にダウンロードする、または広帯域接続でメディアコンテンツをダウンロードもしくはストリーミングする能力は、即時アクセスに対する期待を抱かせる。選択し、それを入手するまでの間の時間は短いことが望ましい。
【０００３】
記憶、処理およびディスプレイの能力が向上するにつれて、メディアコンテンツ（例えばオーディオ、ビデオ、テキスト、触覚素材（ｈａｐｔｉｃ  ｍａｔｅｒｉａｌ）、等）を再生するデバイスは、ユビキタスになりつつある。また、携帯型メディアプレーヤ（ＰＭＰ）は、例えば携帯情報端末（ＰＤＡ）、携帯電話、電子メールアプリケーション等を用いてきた統合型ハンドヘルドデバイスの単なる一態様であり得る。頻繁に移動するユーザたちにとって、少なくとも一部がＰＭＰとしてサービスする移動通信デバイスは娯楽と情報の主たる源となり得る。
【０００４】
未だ展開中である第三世代（３Ｇ）通信ネットワークは全ディジタルであり、音声サービスに加えてデータアクセスを提供し、（ＵＭＴＳとしても知られる）Ｗ−ＣＤＭＡおよびＣＤＭＡ２０００ＥＶ-ＤＯを含む。一群の移動通信デバイスをサポートするオペレータはメディアコンテンツの選択、およびダウンロードに対する一定の可能性をユニキャストまたはマルチキャストのいずれかで提供する。通常は、ビデオディスプレイの品質は、高データ圧縮が経済的に実現可能な帯域幅制約チャネルを利用するスマートホンまたは類似のハンドヘルドデバイスの比較的小型のディスプレイに対して適切である。
【０００５】
新しいＰＭＰは、より高品質でビデオを再生することに適した大型ディスプレイおよび増加したメモリ装置を提供している。したがって、メディアコンテンツのダウンロードには、より大きなファイルをダウンロードするために十分なデータレートを有する広帯域通信チャネルへのアクセスが必要である。家庭または公共の場におけるこれらの広帯域ネットワークアクセスポートまたは無線カバレッジエリアは、メディアコンテンツの送信源とエンドユーザＰＭＰの間の仲介者として動作する。例えば映画ファイルをダウンロードするためにＰＭＰによって必要とされる広帯域幅の消費を仮定すると、そのような使用が可能な十分な能力を有する場所はほとんど無いことがあり得る。さらに、そのようなＰＭＰデバイスの数が増加するにつれて、ＰＭＰデバイスが妥当な期間内に用いるために利用できる広帯域ネットワークアクセス場所の既存のインフラストラクチャは、限定されると予想され得る。従って、ＰＭＰ対応デバイスへのメディアコンテンツの配布は、ホームユースに期待して、広帯域ネットワークアクセスに必要な投資をした人々に限定され得る。
【発明の概要】
【０００６】
以下に、開示される態様のいくつかの態様ついての基本的理解を提供するために、簡易化した概要を提示する。この概要は、広範な概観でなく、また鍵となるまたは決定的な要素を特定することも、そのような態様の範囲を正確に述べることも意図されていない。この目的は、後で述べるより詳細な説明への導入として、簡単な形で説明された特徴のいくつか概念を述べることである。
【０００７】
１つまたは複数の態様およびそれらの対応する開示に従って、改良されたコンテンツ配信のための展開および配布モデルを提供することに関連して種々の態様が記述される。このモデルは、携帯メディアプレーヤ（ＰＭＰ）がメディアコンテンツ（例えば、オーディオ、ビデオ、テキスト、触覚コンテンツ（ｈａｐｔｉｃ  ｃｏｎｔｅｎｔ）、等）を受信し得るために、公共の場所に１つまたは複数の無線アクセスポイントを有するキオスクの設置に対するビジネスインセンティブを提供するものである。追加的に、ＰＭＰの加入ユーザ、キオスクを提供するベンダ、およびコンテンツ配布システムのネットワーク中央制御器間の協調により、ネットワークから経済的で望ましい低データレートの通信リンク（例えば、ダイヤルアップモデム、ＤＳＬ、等）を通じてキオスクにビデオコンテンツを事前配置すること、並びに、キオスクからＰＭＰのダウンロード（例えば部分ダウンロード）、ＰＭＰ間のピアツーピア（Ｐ２Ｐ）ダウンローディング、およびＰＭＰからキオスクへアップロードすること、の連携した待ち行列作成、並びに、配布におけるそのような参加に見合う請求／支払いをすること、並びに、顧客のプロファイルを反映するためにキオスクにおけるコンテンツの事前配置の優先度／選択を変更すること、が可能となる。
【０００８】
一態様において、方法は無線でメディアコンテンツを取得する。メディアコンテンツ選択はユーザインターフェースを介してユーザから受信される。ローカル記憶装置から選択されたメディアコンテンツにアクセス済みの無線アクセスポイントから選択されたメディアコンテンツの第１の部分。選択されたメディアコンテンツの第２の部分は、無線通信チャネルから、要求され受信される。選択されたメディアコンテンツの少なくとも一部分の受信をネットワーク制御器へ報告すること。
【０００９】
別の態様において、少なくとも１つのプロセッサが無線でメディアコンテンツを取得する。第１のモジュールは、ユーザインターフェースを介してユーザからメディアコンテンツ選択を受信する。第２のモジュールは、ローカル記憶装置から選択されたメディアコンテンツにアクセス済みの無線アクセスポイントから、選択されたメディアコンテンツの第１の部分を受信する。第３のモジュールは、選択されたメディアコンテンツの第２の部分を無線通信チャネルから要求し受信する。第４のモジュールは、選択されたメディアコンテンツの少なくとも一部分の受信をネットワーク制御器へ報告する。
【００１０】
追加的態様において、無線でメディアコンテンツを取得するための計算機プログラム製品は、計算機に、ユーザインターフェースを介してユーザからメディアコンテンツ選択を受信させるための命令の第１のセットを有する計算機可読記憶媒体を有する。命令の第２のセットは、計算機に、ローカル記憶装置から選択されたメディアコンテンツにアクセス済みの無線アクセスポイントから、選択されたメディアコンテンツの第１の部分を受信させる。命令の第３のセットは、計算機に、選択されたメディアコンテンツの第２の部分を無線通信チャネルから要求させ受信させる。命令の第４のセットは、計算機に、選択されたメディアコンテンツの少なくとも一部分の受信をネットワーク制御器へ報告させる。
【００１１】
別の追加的態様において、装置は無線でメディアコンテンツを取得する。ユーザインターフェースを介してユーザからメディアコンテンツ選択を受信するための手段が提供される。ローカル記憶装置から選択されたメディアコンテンツにアクセス済みの無線アクセスポイントから、選択されたメディアコンテンツの第１の部分を受信するための手段が提供される。選択されたメディアコンテンツの第２の部分を無線通信チャネルから要求し受信するための手段が提供される。選択されたメディアコンテンツの少なくとも一部分の受信をネットワーク制御器へ報告するための手段が提供される。
【００１２】
さらに別の態様において、装置は無線でメディアコンテンツを取得する。ユーザインターフェースはユーザからメディアコンテンツ選択を受け取る。通信モジュールは、無線アクセスポイントから、選択されたメディアコンテンツの第１の部分を受信する。このアクセスポイントは、ローカル記憶装置から選択されたメディアコンテンツにアクセス済みであり、また選択されたメディアコンテンツの第２の部分を無線通信チャネルから要求し受信するためのものである。コンテンツ配布制御器は、選択されたメディアコンテンツの少なくとも一部分の受信を通信モジュールを介してネットワーク制御器へ報告する。
【００１３】
さらに一態様において、一方法は無線でメディアコンテンツを配布する。ユーザインターフェースを介してユーザからメディアコンテンツ選択が受信される。ローカル記憶装置からの選択されたメディアコンテンツの第１の部分は、無線アクセスポイントを介して加入携帯デバイスへ送信される。無線通信チャネルから、選択されたメディアコンテンツの第２の部分が、送信される。選択されたメディアコンテンツの少なくとも一部分の受信の報告がネットワーク制御器によって受信される。
【００１４】
さらに別の態様において、少なくとも１つのプロセッサは無線でメディアコンテンツを配布する。第１のモジュールは、ユーザインターフェースを介してユーザからメディアコンテンツ選択を受信する。第２のモジュールは、無線アクセスポイントから選択されたメディアコンテンツの第１の部分を、加入者の携帯デバイスへ送信する。このアクセスポイントはローカル記憶装置から選択されたメディアコンテンツにアクセス済みである。第３のモジュールは、無線通信チャネルから選択されたメディアコンテンツの第２の部分を送信する。第４のモジュールは、選択されたメディアコンテンツの少なくとも一部分の受信のネットワーク制御器への報告を受け取る。
【００１５】
さらに、追加的態様において、計算機プログラム製品は、計算機に、ユーザインターフェースを介してユーザからメディアコンテンツ選択を受信させる命令の第１のセットを含む計算機可読記憶媒体を有することにより、無線でメディアコンテンツを配布する。命令の第２のセットは、計算機に、無線アクセスポイントから選択されたメディアコンテンツの第１の部分を、加入者の携帯デバイスへ送信させる。このアクセスポイントはローカル記憶装置から選択されたメディアコンテンツにアクセス済みである。命令の第３のセットは、計算機に、無線通信チャネルから選択されたメディアコンテンツの第２の部分を、送信させる。命令の第４のセットは、計算機に、選択されたメディアコンテンツの少なくとも一部分の受信のネットワーク制御器への報告を受信させる。
【００１６】
さらに別の追加的態様において、装置は無線でメディアコンテンツを配布する。ユーザインターフェースを介してユーザからメディアコンテンツ選択を受信するための手段が提供される。ローカル記憶装置から選択されたメディアコンテンツにアクセス済みの無線アクセスポイントから選択されたメディアコンテンツの第１の部分を加入者の携帯デバイスへ送信するための手段が提供される。無線通信チャネルから選択されたメディアコンテンツの第２の部分を送信するための手段が提供される。選択されたメディアコンテンツの少なくとも一部分の受信のネットワーク制御器への報告を受信するための手段が提供される。
【００１７】
さらに別の態様において、装置は無線でメディアコンテンツを配布する。通信モジュールはユーザインターフェースを介してユーザからメディアコンテンツ選択を受信する。ベンダアクセスポイントはローカル記憶装置から選択されたメディアコンテンツの第１の部分を加入者の携帯デバイスへ送信する。無線通信チャネルは選択されたメディアコンテンツの第２の部分を送信する。請求モジュールは選択されたメディアコンテンツの少なくとも一部分の受信のネットワーク制御器への報告を受信する。
【００１８】
上記および関連する目的の達成のために、１つまたは複数の態様は、以下に完全に記述されかつ特許請求範囲で詳細に示される特徴を含む。以下の記述および添付された図面は、特定の例示的態様を詳細に説明しており、それらの態様の原理が採用され得る種々の方法のほんの僅かを示している。他の利点と新規な特徴は、図面に関連して考察すると、以下の詳細な説明から明白になるだろう。また、開示された態様はそのようなすべての態様およびそれらの均等物を含むことが意図されている。
【００１９】
本開示の特徴、本質、および効果は、同様の参照記号が全般にわたり対応して同一である図面と共に採用されると、以下に記載された詳細な説明からより明らかになるだろう。
【図面の簡単な説明】
【００２０】
【図１】図１は、部分的にキオスクアクセスポイントを通じて、および部分的に通信チャネルを介して携帯デバイスへ無線でメディアコンテンツを送信するためのコンテンツ配信システムのブロック図を例示する。
【図２】図２は、無線でメディアコンテンツを配布するための手法を例示する。
【図３】図３は、メディアコンテンツを携帯デバイスへ無線配布するために通信ネットワークを利用するコンテンツ配信システムのブロック図を例示する。
【図４】図４は、ネットワーク中央制御器、キオスク、および携帯メディアプレーヤ（ＰＭＰ）のような携帯デバイスのブロック図を例示する。
【図５】図５は、コンテンツ配布システムの中央部品から発信されたメディアコンテンツをキオスクおよび別のＰＭＰからダウンロードするユーザＰＭＰのタイミング図を例示する。
【図６】図６は、コンテンツ配信システムに参加している携帯および移動デバイスの流れ図を例示する。
【図７】図７は、コンテンツ配信システムに参加しているキオスク／アクセスポイントの流れ図を例示する。
【図８】図８は、コンテンツ配信システムに参加しているネットワーク中央制御器の流れ図を例示する。
【発明を実施するための形態】
【００２１】
図面を参照して種々の態様を説明する。説明のため、以下の記述において、１つまたは複数の態様の完全な理解を与えるために多くの特定の詳細を記述する。しかし、種々の実施例がこれらの特定の詳細なしで実施され得ることは明白であり得る。他の場合には、周知の構造およびデバイスは、これらの態様の説明を容易にするためにブロック図の形で示される。
【００２２】
図面に戻り、図１において、例示的コンテンツ配信システム１００は、メディアコンテンツをメディアプレーヤ１０４を含む無線対応移動デバイス１０２へ経済的に素早く配布する。ユーザ１０６は、移動デバイス１０２の外部のまたは構成要素であり得るユーザインターフェース１０８を利用して、移動デバイス１０２またはユーザインターフェース１０８によって受信されたメディアコンテンツカタログ１１２内で見出されるような選択１１０を伝達し得る。
【００２３】
別の態様において、これらの選択１１０は、利用可能であるかまたは明確に選択された特定の選択に先行して、より一般的なカテゴリーを含み得る。例えば、ユーザは「週間トップ映画ダウンロード」または「ジョン・スミス主演の映画」を選択し得る。追加的態様において、移動デバイス１０２の構成要素であるかまたはそれとローカルに交信しているユーザインターフェース１０８において、ユーザは選択を「希望リスト」として「オフライン」にし得る。この選択は、予め確立されたカタログリストの補助無しでユーザ生成された問い合わせ探索語を含み得るかまたは前に受信されたようなカタログからの選択であり得る。その結果、選択１１０は、コンテンツ配信システム１００の他のエンティティに、無線通信範囲内にあれば、知られるようになる。
【００２４】
コンテンツ配信システム１００のネットワーク制御デバイス１１４は選択を受信し、ユーザ１０６を、選択されたメディアコンテンツを受信する加入者として許可する。有利には、ベンダキオスク１１６は、移動デバイス１０２へ無線配布するためのメディアコンテンツの利用可能性を反映した更新したカタログ１２０と共に、先行してメディアコンテンツを受信し、ローカル記憶装置１１８に格納済みである。事前配置は、放送信号のような狭帯域通信チャネル１２２を利用し得る。この信号は、そのチャネルからベンダキオスク１１６が、あるコンテンツアイテムを送信されたかまたは選択されたかとして記録するような信号である。事前配置は公衆電話網（ＰＳＴＮ）へのダイヤルアップモデムまたはＤＳＬ通信接続１２２を利用し得る。さらに、事前配置は、通信帯域のベンダの他のユーザへの影響を避けまたは緩和するために、ピーク時間外の間に広帯域接続１２２を利用し得る。Ｔ１回線のような広帯域接続でさえ、種々のユーザ要求またはコンテンツサイズによって、メディアコンテンツの受信目的のために、狭帯域通信チャネル１２２であると考えられるように、十分に制限され得ることが認識されるべきである。代替的に、または追加的に、ユーザ１０６による選択の受信後に、ダウンロードは優先権が与えられ得る。
【００２５】
モバイルデバイス１０２を携帯するユーザ１０６は、例えば小売店舗または公共の場所に配置されているようなベンダキオスク１１６によって管理される無線アクセスポイント１２４のカバレッジエリアに入り得る。したがって、選択されたメディアコンテンツを検索するためにひたすら努力をすること無く、移動デバイス１０２はベンダキオスク１１６と、例えば先行選択の利用可能性を反映する更新されたカタログ１２０を受信するような、交信をし得る。これに応じて、一態様において、ベンダキオスク１１６は、ローカルにユーザ１０６を認証するか、または認証のためにネットワーク制御器１１４への通過を容易にすることによってユーザ１０６を認証するかのいずれかである。ベンダキオスク１１６は、１２６に示すような選択されたメディアコンテンツの少なくとも一部分を、無線データパケットカバレッジエリア１２８によって、無線で転送する。この部分は、他の待ち行列に入れられた要求または他のＡＰ（図示しない）からの干渉に基づいてサイズを動的に調整され、またトランザクションの進行を追跡するためおよび請求／支払いのためにネットワーク制御デバイス１１４へ報告され得る。無線対応移動デバイス１０２は、受信した少なくとも部分的なメディアコンテンツをデバイス記憶装置１３０に格納する。移動デバイス１０２はダウンロード進行のフィードバックをユーザ１０６へ提供し得る。それによって、ユーザ１０６は、ダウンロードを完了するための十分な期間、カバレッジエリア１２８内に留まることを選ぶことができる。
【００２６】
例示的記述において、一態様に従って、ユーザ１０６は、ダウンロード完了前にカバレッジエリア１２８を離れる。いくつかの実施において、移動デバイス１０２は、次の機会にダウンロードされるべきどの部分が残っているかを決定するだけでなく、メディアプレーヤ１０４による再生のために部分メディアコンテンツを提供し得る。それに続く時間に、以下に説明する通信チャネル１３２を介したダウンロードを完了する機会が発生する。この機会は１３４に示すメディアコンテンツの残余の部分の送信を完了する。ネットワーク通信の機会が存在する場合、移動デバイス１０２、通信チャネル１３２、または別のベンダキオスク（図示しない）は、コンテンツ配信システム１００への参加に対する適切な請求と支払いが請求モジュール１３４によって与えられ得るように、ダウンロードの完了および／または種々の仲介者の寄与を報告する。ネットワーク制御デバイス１１４は、ベンダキオスク１１６との、並びに直接または間接的に通信チャネル１３２およびユーザインターフェース１０８のような他の受信側とのインターフェースのためにネットワーク通信モジュール１３６を含み得る。
【００２７】
通信チャネル１３２は、別のベンダキオスク、先行して加入者としてメディアコンテンツをダウンロードした別の無線対応移動デバイス、またはメディア配信を完了するために利用される代替的バックホールネットワークを含み得る。例えば、スマート携帯電話は、第２および第３世代携帯電話通信と同様に８０２．１１ｎ無線アクセスの双方に対応し得る。ユーザ１０６は、バックホールネットワークによってダウンロードを完了するために追加料金を負担するように、予め確立された選好を有するか、または肯定的選択をし得る。代替的にまたは追加的に、サービス品質を向上させるためにネットワーク制御デバイス１１４は、ベンダキオスク１１６がダウンロードを完了していない場合、ダウンロードトランザクションを完結させるためにバックホールネットワークの使用を開始し得る。一態様において、ダウンロードのための経過時間に基づく決定閾値またはダウンロードに残っているメディアコンテンツの比率の閾値が、バックホールダウンロードのきっかけとなり得る。
【００２８】
図２および図５乃至図８は、請求された主題に従う手法および／または流れ図を示す。説明の簡単さのために、本手法は、一連の動作として表示されおよび記述される。主題の新規性は例示された動作によっておよび／または動作の順序によって限定されないことが理解され認識されるべきである。例えば、動作は種々の順序でおよび／または同時に、並びにここに提示していないおよび記述していない他の動作と共に、起こり得る。さらに、すべての例示した動作が、特許請求項の主題に従って本手法を実施するために必要とされ得るというわけではない。さらに、当業者は、本手法が状態図またはイベントを介した一連の相関的な状態として代替的に表され得るだろうことを理解し、認識するだろう。さらに、以下に、および明細書を通じて開示される手法が、そのような手法を計算機へ伝達し転送することを容易にするために製品に格納されることが可能であることがさらに認識されるべきである。用語「製品」は、ここに用いられる場合、任意の計算機可読デバイス、キャリア、または媒体からアクセス可能な計算機プログラムを包含することが意図されている。
【００２９】
図２を参照して、無線でメディアコンテンツを配信するための手法１５０は、ユーザインターフェースを介してユーザによるメディアコンテンツカタログからの選択を受信することにより開始される（ブロック１５２）。ユーザ機器（例えば、移動通信デバイス、統合型（ｃｏｎｖｅｒｇｅｄ）ハンドヘルドコンピュータ、アクセス端末、スマートホン、携帯型メディアプレーヤ、無線対応ハンドヘルドゲーム機、携帯情報端末、等）は、選択の第１の部分を無線アクセスポイントへ要求し、受信する。このアクセスポイントは、有利には、ローカル記憶装置内に直ちに利用可能なコンテンツを有している（ブロック１５４）。つづいて、ユーザ機器は無線通信チャネルを介して選択の他の部分を要求し、受信する（ブロック１５６）。このチャネルは、同じベンダキオスクによって管理される別のアクセスポイント、別のキオスクカバレッジエリア、別の加入者のＰＭＰからのピアツーピア（Ｐ２Ｐ）転送、バックホールネットワーク、または広帯域ホーム接続、等であり得る。メディアコンテンツ配信を完了することへの参加は、エンドユーザに対して適切な請求を確認するためと同様に、コンテンツ配信システムによるカバレッジを拡大するための報酬を提供して、仲介者へ支払うために、ネットワーク制御器へ報告される（ブロック１５８）。部分的ダウンロードに基づく請求における段階は、種々の通信チャネルを利用するネットワークおよび／または仲介者に対するコストを反映し得る。
【００３０】
図３を参照して、コンテンツ配信システム２００は、複数の無線対応携帯デバイス２０８をサービスする経済的インセンティブを有する複数の戦略的に配置されたベンダキオスク２０５、２０６、２０７を利用することにより、通信ネットワーク２０４上でのメディアコンテンツ２０２の配信に改良を加える。携帯デバイス２０８が、一体型または分散型構造を備えた多くの形式のハンドヘルドまたは携帯装置を含み得るものであり、これらは、より専用的機能を実行する（例えば、単なるメディアプレーヤ）かまたはメディアプレーヤを一機能として有する統合型デバイス（例えばスマートホン）であることが認識されるべきである。例示的記述において、一群の無線対応携帯デバイス２０８は、ユーザ２１２によって携帯される個人用メディアプレーヤ（ＰＭＰ）２１０、無線メディア記憶デバイス２１３、および統合型ハンドヘルドコンピュータ２１４を含むとして表示されている。明快さのためにメディアプレーヤ２１０は、伝送された選択のメディアコンテンツを直ちに享有または利用し得る携帯デバイス２０８とのユーザ相互関係を強調して、順番に示されていることが、本開示によって認識されるべきである。しかし、携帯デバイス２０８の態様は、一つの応用としてメディアプレーヤ２１０を有するハンドヘルドまたはノートブックコンピュータ（例えば統合型ハンドヘルドコンピュータ２１４）のような広範囲の可能性を包含し得る。代替的に、携帯デバイス２０８の態様は、別のデバイス上で後で再生するためにコンテンツを経済的にダウンロードする機会を利用する無線対応メディア記憶デバイス２１３の能力に制限され得る。
【００３１】
通信ネットワーク２０４は異なるデータスループット、インタオペラビリティ、およびカバレッジエリアの通信チャネルを提供し得る。例えば、通信ネットワーク２０４の複数の部分は、公衆または企業内インターネット２１６、公衆電話網（ＰＳＴＮ）２１８、および／またはメディアコンテンツ配布目的のためのバックホールネットワーク２２０として示される無線放送事業者（例えばユニキャスト、マルチキャスト、一方向、双方向、ＷｉＭａｘ、携帯電話、等）を含み得る。例示的な記述において、ＰＴＳＮ２１８を介したベンダキオスク２０７への通信チャネルは、大きなメディアフィアルをダウンロードするには遅いとはいえ極めて経済的であり、近づいているユーザ２１２に十分先んじて人気カタログ選択肢を事前配置するための機会を提供する。
【００３２】
ネットワーク制御器２２２は加入者記録データ構造２２４および更新されたカタログに反映されたコンテンツ事前配置追跡データ構造２２６を維持することによりコンテンツ配信システム２００を管理する。中央制御器２２２は、請求と支払いを請求サービス２２８へ中継し、いくつかの事例において、配信されたメディアコンテンツ２０２と一体化しまたは結合するために、広告主２３２から広告２３０を受信する。中央オペレータインターフェース（Ｉ／Ｆ）２３４は、中央制御器２２２、ユーザ２１２を有するＰＴＳＮ２１８を介したオペレータの支援、または加入のためもしくは選択を受信するためのユーザウェブ入力／出力（Ｉ／Ｏ）サービス２３６を容易にすることの人との交信（ｈｕｍａｎ  ｉｎｔｅｒａｃｔｉｏｎ）／構成を提供し得る。例えば２３８で示されるようなウェブ使用可能な携帯デバイス２０８は、選択をするために、ウェブＩ／Ｏ２３８を組み込み得る。メディアコンテンツ２０２へのアクセスを提供するメディアプロバイダ２４０は、エンドユーザのアクセスに対するデータ権利管理（ＤＲＭ）を容易にし、およびメディアコンテンツ２０２に関する制限を用い得る。コンテンツのための配信経路およびデータ権利のための配信経路は互いに異なり得ることが、本開示によって認識されるべきである。例えば、コンテンツは、キオスクからあらかじめ配信され得る。一方権利は、ユーザが前のコンテンツをいったん消去すると、一般的なアクセスポイントを介して配信され得るだろう。別の例として、コンテンツはピアＰＭＰによって配信され得るし、権利はネットワークキオスク等を介して配信され得る。
【００３３】
例示的使用の場合において、ＰＭＰ２１０はキオスク２０６のカバレッジエリアに入る。このカバレッジエリアは動的に調整され、その結果、２４２に示すようなユーザ表示を含み得る選択の第１の部分を受信し得る。キオスク２０６は、無線対応メディア記憶デバイス２１３およびＰＭＰ２１０で示されるような複数の携帯デバイスへのコンテンツの待ち行列を最適化し得る。例えば、キオスク２０６は、待ち行列最適化の１つの方法として、一度に一つ、メディアコンテンツの配信を完了し得る。代替的には、十分な帯域幅が存在している場合、例えばキオスク２０６が複数の利用可能チャネルを有する場合、には複数のデバイス２１０、２１３への同時伝送が起こり得る。別の例として、キオスクは、かなり大きい冗長符号化、またはダウンロードに成功するための再送信を要求するだろうものを除いて、十分なチャネル品質を有するもののための伝送を優先させ得る。カバレッジエリアを出るときまたはＰＭＰ２１０が断のとき、部分コンテンツ転送モジュール２４４は部分転送のインテグリティを確認し、キオスク２０５−２０７へアップロードする次の機会のためにネットワークへの報告を準備し、いくつかの事例においては再生のための部分転送をフォーマットする。キオスク２０５−２０７は、一態様においてデータレートが一定の閾値より低くなっていること、許容できない高い誤り率であることを決定することにより、または検出した受信電力により、ＰＭＰ２１０がカバレッジエリアから出ていったことを決定し得る。つづいて、ＰＭＰ２１０は、先行してダウンロードされたまたはキオスク２０６から中継された選択の別の部分を転送できる他の加入携帯デバイス２１４とのアドホックネットワークを形成する。つづいて、ＰＭＰ２１０は、キオスク２０７からのダウンロードを完了する。このキオスクは、ＰＭＰ２１０からのダウンロードされた選択を保管または補足するホームキオスク２４６と同様なデバイスであり得る。ホームキオスク２４６（例えば、セットトップボックス、ホームコンピュータ、専用デバイス、等）またはＰＭＰ２１０は、いくつかの態様において、フルサイズのディスプレイモニタ２４８での再生のためにメディアコンテンツをストリーミングまたはダウンロードし得る。メディアコンテンツの配布における支援は、携帯デバイス２０８からベンダキオスク２０６へのアップロードをさらに必要とし得る。
【００３４】
ここで図４を参照して、例示的コンテンツ配信システム３００は、ネットワーク中央制御器３０６が、加入者のＰＭＰ３１０への無線伝送のためのベンダキオスク３０８へのメディアコンテンツの配信を管理し得るように、通信ネットワーク３０２を利用し得る。例示しないが、ネットワーク３０２は他の通信ネットワーク部品、例えば、ベンダキオスク３０８および他の部品に提供される通信およびサービスを容易にするように動作可能な基地局制御器、移動通信交換局、位置決定エンティティ、グループ通信サーバ等、も含み得る。ネットワーク３０２は、符号分割多元接続（ＣＤＭＡ）、ｃｄｍａＯｎｅ、ｃｄｍａ２０００、ユニバーサル移動通信システム（ＵＭＴＳ）、広帯域ＣＤＭＡ、移動通信のためのグローバルシステム（ＧＳＭ（登録商標））、およびＴＩＡ／ＥＩＡ−１３６、ＷｉＭａｘ、ＤＳＬ、ケーブルモデムリンクを含む任意の既知の規格に従って動作する、任意の企業内または公共の無線または有線通信ネットワークであり得る。
【００３５】
ユーザウェブ入力／出力（Ｉ／Ｏ）３１２は、加入、請求／支払いのレビュー、トランザクション履歴、カタログレビュー、およびコンテンツ選択、デバイス構成設定、ユーザの選好等への変更を可能にする。中央オペレータＩ／Ｏ３１４はコンテンツ配信システム３００および顧客サービス等の監督を容易にする。中央制御器３０６は、認証サーバまたは加入者識別情報を確認するためのモジュール３１６をさらに含む。加入確認モジュール３１８は、現在動作中の加入のもとで、加入者識別情報とアクセス権とを相互参照する。メディアリスト管理モジュール３２０は、利用可能なメディアコンテンツ、それらの構成（例えばフォーマット、圧縮）、入手可能な場所、配布されたコンテンツカタログに関する最新性、等に関するデータを維持する。ディジタル権利管理モジュール３２２は、必要なデータ暗号化、メディアコンテンツに必要または望ましい契約上および法的保護を満足するための追跡および報告を実施する。アクセスポイントへのファイル転送管理（ＦＴＭ／ＡＰ）モジュール３２４は、キオスク３０８へメディアコンテンツのダウンロードのための適切なプロトコルおよび追跡を提供する。例示的な実施例において、有利には、ＦＴＭ／ＡＰは頑健であり、プラットホームに独立であり、またはプラットホーム構成可能であり得る。その結果、同じモジュールが無線でＰＭＰ３１０をサービスするための新しいベンダキオスク３０８へ配布され得る。報告作成／請求モジュール３２６は請求および顧客関係の機能を容易にする。ユーザウェブインターフェース３２８はユーザウェブＩ／Ｏ３１２と交信する。
【００３６】
キオスク３０８は、所望のカバレッジエリアを提供するために複数のアクセスポイント（ＡＰ）３３０、３３２を管理し得る。例示的な実施において、種々の近傍界、個人用アクセスネットワーク、無線アクセスネットワーク、広域ネットワーク、および放送用プロトコルが種々のアプリケーションで要求に応じてまたは適切な場合に使用され得ることが認識されるべきであるが、ＡＰは８０２．１１ｎ無線プロトコルを利用し得る。ネットワーク通信チャネルは、データパケットプロトコル通信が可能であるネットワーク通信モジュール３３４によって提供され得る。代替的にまたは追加的に、ＰＳＴＮモデム（例えば、ＤＳＬ）３３６は限定的スループットとはいえ、経済的な接続を提供し得る。無線カバレッジエリアまたはネットワーク通信チャネルの無許可の使用は、セキュリティモジュール３３８によって防がれ得る。
【００３７】
キオスク３０８が、中央オペレータＩ／Ｏ３１４のような別のエンティティから完全に制御され得るであろうにも拘わらず、キオスク３０８は、ベンダが、構成を調整し、トランザクションを観測し、ローカルに格納されたメディアコンテンツをレビュー／変更し、ネットワークからの優先度要求を手動で調整し、ネットワークとの交信を開始すること等が可能となるために、入力デバイス３４２および出力デバイス３４４を有するベンダのグラフィカルユーザインターフェース（ＧＵＩ）３４０を有利に含み得る。例えば、入力デバイス３４２は、キー、キーパッドおよび／またはキーボード、マウス、タッチスクリーンディスプレイ、マイクロホン等のメカニズムを含み得る。特定の態様において、入力デバイス３４２は、アプリケーション、またはプログラムもしくはモジュールと対話するためにユーザ入力を出力する。さらに、例えば、出力デバイス３４４はオーディオスピーカ、ディスプレイ、触覚フィードバックメカニズム、等を含み得る。
【００３８】
いくつかのアプリケーションにおいて、キオスク３０８は、上述したように、入力デバイス３４８および出力デバイス３５０を備えた公共ＧＵＩ３４６を含む。公共ＧＵＩ３４６は、利用可能な機能を制限するためのセキュリティ保護を有するベンダＧＵＩ３４０によって提供され得るだろう。公共ＧＵＩ３４６は、特に、特定のユーザインターフェースの主な機能を欠く特定のＰＭＰ３１０に付加的な対話性を提供し得る。
【００３９】
さらに、キオスク３０８はプロセッサ３５４およびメモリ３５６を含むアクセスポイント（ＡＰ）制御器３５２として示されるコンピュータプラットホームを含み得る。プロセッサ３５４はメモリ３５６に格納されたアプリケーションまたはプログラムもしくはモジュールに従ってキオスク３０８の動作を制御する。このメモリは、ランダムアクセスメモリ（ＲＡＭ）３５８およびネットワーク接続ローカル記憶装置３６０として示される不揮発性メモリであり得る。制御機能は、例えば、単一のマイクロプロセッサで、または複数のマイクロプロセッサで実施され得る。適切なマイクロプロセッサは、ディジタル信号プロセッサと同様に汎用および専用マイクロプロセッサ、状態機械を含み得る。さらに、例えば、プロセッサ３５４は特定用途向け集積回路（ＡＳＩＣ）、または他のチップセット、論理回路、もしくは他のデータ処理デバイスであり得る。プロセッサ３５４またはＡＳＩＣのような他のデータ処理デバイスは任意の常駐アプリケーション、並びに／または、メモリ３５８に格納されたコンテンツ配信システムモジュール３６２のようなプログラムおよび／もしくはモジュールとのインターフェースとなるアプリケーションプログラミングインターフェース（ＡＰＩ）層を実行し得る。
【００４０】
メモリ３５６は、キオスク３０８に関係するメモリのすべてを表し、ランダムアクセスメモリ（ＲＡＭ）および読み出し専用メモリ（ＲＯＭ）の双方、消去可能ＲＯＭ（ＥＰＲＯＭ）、電気的消去可能ＲＯＭ（ＥＥＰＲＯＭ）、フラッシュカード、またはコンピュータプラットホームに一般的な任意のメモリを含み得る。さらに、メモリ３５６は、１つまたは複数のフラッシュメモリセルを含み得る。または磁気媒体、光学媒体、テープ、またはソフトもしくはハードディスクのような任意の二次または三次の記憶デバイスであり得る。例えば、キオスク３０８の動作で利用される計算機プログラム命令およびデータは、ＥＰＲＯＭ、ＥＥＰＲＯＭおよび／またはフラッシュメモリのような不揮発性メモリに格納され得る。付加的に、メモリ３５６は、個別デバイス、積層デバイスとして実施され得るか、またはプロセッサ３５４に集積化され得る。また、メモリ３５６は一時メモリバッファとしての使用に、またはコンテンツ配信システムモジュール３６２による使用に分割および指定された領域を含み得る。
【００４１】
コンテンツ配信システムモジュール３６２はメディアコンテンツの配信のための種々の機能を実行するモジュールを含み得る。認証通過モジュール３６４は種々のセキュリティプロトコルメッセージを中央制御器３０６へ通過させる。代替的にまたは追加的に、キオスク３０８は自立的認証をする十分な能力を含み得る。記憶装置管理モジュール３６６は、ネットワーク接続記憶装置３６０内のローカルに蓄積されたメディアコンテンツ３６８、トランザクション記録３７０，および顧客データ３７２の内容一覧を維持する。コンテンツ配信システムモジュール３６２は、メディアコンテンツ３６６のユーザを限定するために著作権／契約上の保護を実施するデータ権利管理／暗号化モジュール３７４をさらに含み得る。ファイル転送管理モジュール３７６はＰＭＰ３１０へのメディアコンテンツ３６８の配信を管理する。報告モジュール３７８はローカルに格納されたトランザクション記録３７０のための、または中央制御器３０６への通信のためのトランザクションデータを準備する。無線アクセス構成およびビーコン制御モジュール３８０は、複数のＡＰ３３０、３３２を管理し、およびＡＰ３３０、３３２によって提供されるカバレッジエリアの存在と方向に関してＰＭＰ３１０に警告するためのビーコン信号のためのパラメータを設定する。ビーコン信号は、データ通信に用いられる別の部品の特定の同期／放送チャンネル能力であり得る。代替的に、専用無線周波数（ＲＦ）ビーコン３７９は、利用可能なカバレッジエリアの場所を定める際にユーザの状況認識を向上するための拡張レンジ信号を提供するために提供され得る。
【００４２】
例示的な態様において、ＰＭＰ３１０は携帯電話を含み得る。ＰＭＰ３１０が放送信号を受信できる任意の計算機化したデバイス、例えば携帯情報端末（ＰＤＡ）、衛星電話、パームコンピュータ、パーソナル通信サービス（ＰＣＳ）、携帯ゲーム機または音楽デバイス、を含み得ることが本開示によって理解されるべきである。詳細には、ＰＭＰ３１０はキオスク３０８からのメディアコンテンツの要求および受信を制御するアクセス端末（ＡＴ）制御器３８０として示される、計算プラットホームを含む。この受信は受信機３８４および送信機３８６を有する無線通信インターフェースモジュール３８２を介してなされ得る。ＰＭＰ３１０は、受信機３９０および送信機３９２を有する第２の無線通信インターフェースモジュール３８８によって示される、同時セッションを維持可能な２モードデバイスであり得る。同時セッションは同じ無線アクセス技術であるかまたは異なる無線アクセス技術であり得る。例えば、ＰＭＰ３１０はセルラー通信および８０２．１１のデータ通信が可能なスマートホンの構成要素であり得る。例示的態様において、携帯用の電源３９４（例えば、バッテリー、ウルトラキャパシタ、燃料電池、太陽電池、運動発電機（ｍｏｔｉｏｎ−ｐｏｗｅｒｅｄ  ｇｅｎｅｒａｔｏｒ）、等）は移動性を向上させる。より長いサービス寿命は、電力消費を低減するために無線通信インターフェースモジュール３８２、３８８により休止／稼働サイクルに入ることによって達成され得る。
【００４３】
ＰＭＰ３１０は、全地球測位システム（ＧＰＳ）衛星３９７に応答しているとして示される、位置決定モジュール３９６から地理的位置情報を有利に検知または受信し得る。しかし、位置決定モジュール３９６が、代替的にまたは追加的に、地上ベースの無線通信ネットワーク、例えばＣＤＭＡネットワーク、に応答し得ることに注意すべきである。ここで、位置決定のすべてのまたはいくつかの部分は基地局との交信に基づき得る。および／または位置決定計算はネットワークサーバによって全体的または部分的に実行される。代替的または追加的に、位置決定モジュール３９６は位置の変化を検出する慣性プラットホームを含み得る。動きセンサ３９８は動きに基づいて加速、速度、および位置を計算するのためのデータを提供する加速度計または他の変換器を含み得る。また、動きセンサ３９８は視角に対して自動的にディスプレイを調整するための方向データも提供し得る。また、動きセンサ３９８はいつ能動的にキオスク３０８への接続を探索すべきかまたは休止／稼働サイクルを変更するべきかを決定するためにユーザ交信データも提供し得る。例えば、ＰＭＰ３１０が全く動いていないとき、静止状態は、ＡＰ３３０、３３２へのアクセスを検査することを非許可にして、決定され得る。その結果、おそらく全体を停止し、または休止期間を延長する。代替的または追加的に、位置決定モジュール３９６はＰＭＰ３１０の位置を決定する、ネットワークデバイス（図示しない）からの方向検出／信号強度／ノード位置情報を受信し得る。
【００４４】
ＡＴ制御器３８０は、別のＧＵＩ（例えば、ホームＰＣベースの同期ソフトウェア）によって全体的または部分的に間接的に制御され得る。例示的な態様において、入力デバイス４０２および出力デバイス４０４を備えた構成要素のＧＵＩ４００は、ユーザが、構成を調整し、トランザクションを観測し、ローカルに格納されたメディアコンテンツをレビュー／変更し、コンテンツを再生し、メディアコンテンツのカタログから選択し、例えば加入更新のためにネットワークとの交信を開始すること、等を可能にする。いくつかの態様において、これらのユーザ入力はキオスクまたは他のネットワーク接続の範囲外にある間になされ得る。例えば、入力デバイス４０２はキー、キーパッドおよび／またはキーボード、マウス、タッチスクリーンディスプレイ、マイクロホン等のメカニズムを含み得る。特定の態様において、入力デバイス４０２は、アプリケーション、またはプログラムもしくはモジュールと対話するためのユーザ入力を提供する。さらに、例えば、出力デバイス４０４はオーディオスピーカ、ディスプレイ、触覚フィードバックメカニズム、等を含み得る。
【００４５】
プロセッサ４０６およびメモリ４０８を含むＡＴ制御器３８０。プロセッサ４０６はアプリケーションまたはメモリ４０８に格納されたプログラムまたはモジュールに従ってＰＭＰ３１０の動作を制御する。メモリは、ランダムアクセスメモリ（ＲＡＭ）４１０およびネットワーク接続ローカル記憶装置４１２として示される不揮発性メモリであり得る。制御機能は、例えば、単一のマイクロプロセッサで、または複数のマイクロプロセッサで実施され得る。適切なマイクロプロセッサは、ディジタル信号プロセッサと同様に汎用および専用マイクロプロセッサ、状態機械を含み得る。さらに、例えば、プロセッサ４０６は特定用途向け集積回路（ＡＳＩＣ）、または他のチップセット、論理回路、もしくは他のデータ処理デバイスであり得る。プロセッサ４０６またはＡＳＩＣのような他のデータ処理デバイスは任意の常駐アプリケーション、並びに／または、メモリ４１０に格納されたコンテンツ配信システムモジュール４１４のようなプログラムおよび／もしくはモジュールとのインターフェースとなるアプリケーションプログラミングインターフェース（ＡＰＩ）層４１３を実行し得る。ＡＰＩ４１３はＰＭＰ３１０上で実行するランタイム環境であり得る。そのようなランタイム環境の１つはカリフォルニア州サンディエゴにあるクアルコム社によって開発されたＢｉｎａｒｙ  Ｒｕｎｔｉｍｅ  Ｅｎｖｉｒｏｎｍｅｎｔｆｏｒ  Ｗｉｒｅｌｅｓｓ（Ｒ）（ＢＲＥＷ（Ｒ））（無線用バイナリランタイム環境）である。例えばＰＭＰ３１０上でのアプリケーションまたはプログラムまたはモジュールの実行を制御するように動作する他のランタイム環境が利用され得る。
【００４６】
メモリ４０８は、キオスク３０８に関係するメモリのすべてを表し、ランダムアクセスメモリ（ＲＡＭ）および読み出し専用メモリ（ＲＯＭ）の双方、消去可能ＲＯＭ（ＥＰＲＯＭ）、電気的消去可能ＲＯＭ（ＥＥＰＲＯＭ）、フラッシュカード、またはコンピュータプラットホームに一般的な任意のメモリを含み得る。さらに、メモリ４０８は、１つまたは複数のフラッシュメモリセルを含み得るか、または磁気媒体、光学媒体、テープ、またはソフトもしくはハードディスクのような任意の二次もしく三次の記憶デバイスであり得る。例えば、ＰＭＰ３１０の動作で利用される計算機プログラム命令およびデータは、ＥＰＲＯＭ、ＥＥＰＲＯＭおよび／またはフラッシュメモリのような不揮発性メモリに格納され得る。付加的に、メモリ４０８は、個別デバイス、積層デバイスとして実施され得るか、またはプロセッサ４０６に集積化され得る。また、メモリ４０８は一時メモリバッファとしての使用に、またはコンテンツ配信システムモジュール４１４による使用に分割および指定された領域を含み得る。
【００４７】
コンテンツ配信システムモジュール４１４はメディアコンテンツの配信のための種々の機能を実行するモジュールを含み得る。認証クライアント４１６は、認証通過モジュール３６４を通じて中央制御器３０６の認証サーバ４１６と、ローカル記憶装置４１２に格納された加入キー４１８を用いて交信する。メディアコンテンツリスト管理４２０は部分的または全体的に受信されローカル記憶装置４１２に格納されたメディアコンテンツ４２２と同様にダウンロードのために選択されたメディアを追跡する。ＤＲＭ／解読モジュール４２４は、再生または他の許可された使用（例えば、付属モニターへのストリーミング）のためにメディアコンテンツ４２２を解読するための適切な鍵を利用する。ファイル転送管理モジュール４２６は、部分的受信／送信を含むメディアコンテンツの受信または送信の追跡を支援する。コンテンツ消費（例えば、プレーヤ）モジュール４２８はローカルユーザ出力デバイス４０２での再生を提供する。報告モジュール４３０は、請求／支払い目的に、ローカルなロギングおよび／または中央制御器３０６への報告のためのトランザクションデータを準備する。無線アクセス構成／ビーコンモジュール４３２は、無線セットアップを、キオスク３０８との交信、別のＰＭＰ３１０へのＰ２Ｐ、またはバックホールネットワーク（図４に示さない）からの放送信号に適するように構成する。特定の能力は分散または省略され得ること、およびこの記述が例示的であり得ることが本開示によって認識されるべきである。例えば、ユーザインターフェースの主な機能は、外部にあり得るし、さらに離れてあり得る。いくつかの態様において、携帯型メディアプレーヤ３１０は外部ディスプレイおよび制御に接続される携帯型無線対応メディア記憶デバイスによって機能的に達成される。例えば、ホームメディアシステム（図示しない）のドッキングステーション（ｄｏｃｋｉｎｇ  ｓｔａｔｉｏｎ）は格納されたメディアコンテンツにアクセスし得る。
【００４８】
図５を参照して、コンテンツ配信システム（ＣＤＳ）５０２のシナリオ５００は、メディアコンテンツがユーザのＰＭＰ（携帯デバイス）５０４へ、いかに押しつけがましくなく、経済的に配信され得るかを示す。ユーザによる（ＣＤＳ）５０２との交信に先立ち、ベンダキオスク５０６は、顧客ＰＭＰ５１０として示される、一群の携帯デバイスへ、５０８で示されるように、メディアコンテンツを配布中であり得る。これらのトランザクションは、結果として、請求および支払い情報を請求サービス５１６へ伝達する５１２で示されるようなＣＤＳ中央制御器５１４への報告となる。この情報は、例えば仲介者としてサービスすることに対してベンダに支払うこと並びにＣＤＳ５０２を介して選択および受信されたメディアに対して顧客に請求することである。これらのトランザクションは、例えば、メディアコンテンツのどのジャンルが、どの場所でより有益であるか、および／またはより要求されるか、を決定するために、さらに特性化され得る。この決定が、ＣＤＳ５０２の種々のエンティティにおいて全体的または部分的に実行され得るにもかかわらず、この顧客の特性化はキオスクＣ５０６で起こるとして５１８で示される。このキオスクはその結果を用いて５２０に示されるようにＣＤＳ中央制御器５１４からコンテンツをプル配信する（再度優先順位をつける）。
【００４９】
いくつかのアプリケーションにおいて、コンテンツ配信システムは、そのカバレッジエリア内の一群のユーザを特性化してＡＰを利用し得ることが本開示によって認識されるべきである。これは、ＡＰによる配信のための利用可能なコンテンツを調整するために用いられる。例えば、ＡＰは移動デバイスによって公表された共有ユーザプロファイルにアクセスし得る。別の例として、ＡＰは、ネットワークエンティティにおいて維持されるユーザプロファイルを用いて移動デバイスに対する識別子を相互参照し得る。このように、キオスクまたはキオスクによって管理される特定のＡＰが、特定のユーザ層（例えばユーザの８０％が男性で、年齢が１８から２５歳）を有すると検出されると、そのキオスクに対してプッシュ配信またはプル配信されたコンテンツはそれに従って変更され得る。
【００５０】
ＰＭＰ５０４のユーザはユーザ入力／出力（Ｉ／Ｏ）デバイス５２２を介してＣＤＳ５０２からのサービスにアクセスし得る。例えば、Ｉ／Ｏはグラフィカルユーザインターフェース、ヒューマンまたは自動化電話インターフェース、ウェブポータル、触覚インターフェース、等であり得るだろう。さらに、このユーザＩ／Ｏ５２２は、ＰＭＰ５０４または外部（例えばホームまたはオフィスワークステーション）の構成要素であり得る。ユーザＩ／Ｏ５２２は、５２４に示すように、ネットワーク加入情報を構成し得るし、ネットワーク通信、キオスク通信、またはピアツーピア（Ｐ２Ｐ）通信のための技術的または優先的設定を構成し得る。例えば、ユーザは、キオスクまたは別の加入者にコンテンツをアップロードする際に電池電力を消費しないことを選好し得る。それ以外では、ユーザは、支払いを受けるためにメディアコンテンツ配信に参加することを選好し得る。ユーザは、位置またはユーザ識別情報をキオスクまたは他の加入者デバイスに自動的に明白にすることを選好し得るかどうかわからない。ダウンロードのためにコンテンツ事前配置においてより良いサービスを受けるために、ユーザは、関心のあるコンテンツまたはよく行く場所を明示的に特定し得る階層の情報を共有することを選好し得る。また、ユーザＩ／Ｏ５２２は加入に従って、例えばメディアリストカタログから選択されたメディアコンテンツをダウンロードさせる選択をし得る。これらの加入／階層情報／コンテンツ選択は、５２６に示すように、ユーザＩ／Ｏ５２２からＣＤＳ中央制御器５１４へ送信される。この送信はインターネット接続、ＰＴＳＮ、書式メール（ｍａｉｌ−ｉｎ  ｆｏｒｍ）、等の通信チャネル、を利用し得る。それに従って、ＣＤＳ中央制御器５１４は、次に、５２８に示すようなユーザプロファイルを更新する。
【００５１】
ユーザＰＭＰ５０４は５３０に示すように位置報告を検知しているか、または生成させているかであり得る。例えば、セルラー、ショートメッセージサービス（ＳＭＳ）、８０２．１１アクセスポイント、等はＰＭＰ５０４からのビーコンを検知し得る。いかなるメディアコンテンツの選択もダウンロードを保留中ではないときに、そのような位置情報は、特定的には１ユーザの、一般的には特定のキヨスクの位置に対する顧客の階層プロファイルの特性化のために、収集され得る。位置報告は、最も近いベンダキオスクＡ５３２として、カバレッジエリア内にあることだけを示し、受信エンティティによって決定され得る。代替的にまたは追加的に、特に本質的に広いカバレッジエリアを有する通信方式（例えば、ＷｉＭａｘ）に対しては、位置報告はＰＭＰ５０４が明かした地理的座標に基づき得る。それに応じてキオスクＡは、５３４において、自律的に、または中央ＣＤＳ５１４のようなリモートネットワークとの交信によってユーザＰＭＰ５０４を認証し、データ通信範囲より広い範囲のビーコンに対する近い将来の到着を報告する。代替的にまたは追加的にキオスクＡ５３２はＣＤＳ中央制御器５１４への定期的報告のためにそのような情報を収集する。
【００５２】
いくつかの実施において、またはキオスクＡ５３２のような特定のキオスクにおいて、ＣＤＳ中央制御器５１４からの広帯域接続が存在し得る。この場合、ＣＤＳ中央制御器５１４は、５３６に示すように、保留中の選択のダウンロードおよび位置追跡を含むユーザプロファイルを観測中であり得る。ＣＤＳ中央制御器５１４が、５３８に示すように、キオスク５３２へプッシュ配信するためのコンテンツを識別する十分な時間が存在し得る。キオスクＡ５３２は、５４０に示すように、選択されたメディアコンテンツの一部分をＰＭＰ５０４へ配布する。いくつかの事例において、例えば不十分な時間、キオスク５３２が時間内に完全なコピーを有していない、いずれかのデバイスの電源断、等に起因して、ＰＭＰ５０４とキオスクＡ５３２間の接続は選択されたコンテンツの完全なダウンロードの前に終了する。それに応じてキオスクＡ５３２は、５４２に示すように、ＣＤＳ中央制御器５１４へ部分配布を報告する。５１４は次に、５４４に示すように、請求サービス５１６へ支払い報告を送り、これに応じる。
【００５３】
ＰＭＰ５０４は、５４５に示すように、カバレッジエリア間を移行するとき、低電力検索モード（ｄｉｓｃｏｖｅｒｙ  ｍｏｄｅ）に入り得る。無線周波数（ＲＦ）送受信機回路は、キオスク５３２を見つけ出しおよび捕捉するために断続的に動作状態になり得る。さらに、低電力状態は、ダウンリンクおよびアップリンクのスロット割当の間でカバレッジエリアにあるときに、使用され得る。代替的にまたは追加的に、サービス寿命の延長のために、例えばユーザが、ダウンロードを待っている保留中の選択を未だしていないとき、または電源状態が一定の低レベルに達したとき、自動的にまたは手動で設定された電力節約モードに入り得る。
【００５４】
いくつかの実施において、またはキオスクＢ５４６のような特定のキオスクにおいて、ＣＤＳ中央制御器５１４からのメディアコンテンツを受信するために狭帯域通信チャネルが存在する。例えば、このチャネルはＰＴＳＮ接続である。別の例として、このチャネルはそのようなメディアダウンロードに僅かな割当を残して他の目的に大量に利用される。中央制御器５１４は、５４８に示すように、位置予測プロセスを実行し得る。このプロセスはキオスクの場所によく行く一般的な集団の特性化を必要とし得るか、または過去の挙動によってもしくはキオスクＢ５４６のカバレッジエリア内になることになることが現在の移動経路（ｔｒａｊｅｃｔｏｒｙ）に基づいて予測される特定のユーザを目標にし得る。この予測を用いて、ＣＤＳ中央制御器５１４は、あらかじめ、５５０に示すように、キオスクＢ５４６にメディアコンテンツをプッシュ配信し得る。また、メディアコンテンツは、５５１に示すように、顧客ＰＭＰ５１０からキオスク５４６によって受信され得る。このＰＭＰは、キオスク５４６のカバレッジエリアを訪れるときにアップロードを進んで引き受けるものである。例えば、顧客ＰＭＰ５１０は、格納されたコンテンツを共有することに協力的であるために、ＣＤＳ中央制御器５１４から一定の支払いを受け取り得るだろう。つづいて、ＰＭＰ５０４は、カバレッジエリアに入り、５５２に示すように、完了前に打ち切っただろうコンテンツのさらに別の部分の配布を受ける。それに応じて、キオスクＢ５４６はある時点で５５４において部分配布に関する報告をＣＤＳ中央制御器５１４へ報告する。５１４は次に、５５６において、請求サービス５１６へ支払い報告をする。ＰＭＰ５０４は、キオスクへ次に行くときのダウンロード再開処理を支援するために、ダウンロード停止点を記憶する。
【００５５】
続いて、ユーザＰＭＰ５０４は、５０８に逆に示すような、先行してメディアコンテンツを受信済みの顧客ＰＭＰ５１０のＰ２Ｐ範囲内にくる。代替的には、顧客ＰＭＰ５１０はキオスクＣ５０６の範囲を広げるためのアドホックネットワークにおける仲介ノードとしてサービスし得る。ＰＭＰ５０４、５１０は、５５８に示すように、所望の選択肢、および配信のために利用できるコンテンツを含むコンテンツリストを共有する。選択されたメディアコンテンツの完全な配信に対する要求に応じて、顧客ＰＭＰ５１０は、５６０に示すように、ユーザのＰＭＰ５０４へ選択の残存部分を送信する。キオスクＣ５０６は、５６１に示すように、メディアコンテンツを他のデバイスから同時、または連続して配信しているかまたは受信していることがあり得る。
【００５６】
キオスクＣ５０６はローカルに利用可能な追加的選択肢を有し得る。これはユーザＰＭＰ５０４へのピアツーピアで広告される。例えば、ローカルに何が利用可能かの注記を反映する更新されたカタログが、５６２に示すように、提供され得る。ＰＭＰ５１０がネットワーク通信内にある場合、選択されたメディアコンテンツの配信完了の報告が、例えば、５６４に示すように、キオスクＣ５０６へなされ、ＣＤＳ中央制御器５１４へ中継される。５１４は次に、５６６に示すように、メディアコンテンツ配信の支援に対して顧客ＰＭＰ５１０に支払い得る請求／支払い報告を生成する。配信されたメディアコンテンツを用いて、ユーザのＰＭＰ５０４は、５６８に示すように、そのメディアコンテンツを再生し得る。これは構成要素であるプレーヤまたは外部のデバイスであり得る。
【００５７】
図６を参照して、移動デバイス（例えば、ＰＭＰ）がコンテンツ配信システム（ＣＤＳ）に加入するための例示的な手法６００を例示する。６０２に示すように、デバイス制限、画像圧縮品質によるダウンロード時間トレードオフ、ユーザの選好、使用帯域幅に関する加入料金、等によって指示され得る優先度が確立される。ブロック６０４において、特にサービスがホームワークステーションのような別の通信チャネルを介して全体的または部分的に確立される場合、移動デバイスはユーザの選好、ＣＤＳ認証、加入キー、等に関係する情報を受信し得る。
【００５８】
ブロック６０６において、移動デバイスの動きが検知されたかどうかに関する判定がなされる。検知された場合、休止サイクルはメディアコンテンツを要求し受信するためのキオスクまたは類似のアクセスポイントもしくはアクセスノードを検出するように調整され得る（ブロック６０８）。いくつかの態様において、移動デバイスは、報告または内部使用のためにそれ自身の位置を追跡する（ブロック６１０）。例えば、移動デバイスは、過去のセッションを思い出し得るか、またはキオスクのカバレッジエリアが近づくことの判定を可能にする位置相互参照を有し得る（ブロック６１２）。近づいている場合、休止サイクルは調整され（ブロック６１４）、またはセッション開始を早めるためにビーコンが開始され得る。例えばビーコンはより長い範囲であるがセッションパラメータを調整するには限定されたデータレートの制御信号であり得る。そのため、データ伝送は全データ通信のために範囲内で短い期間を効率的に利用する。
【００５９】
例示的実施において、移動デバイスの電力節減モードは、このように、予め定められた時間に起動することを含む。この時間は、衝突またはビーコン信号の受信失敗を避けるための同期された時間を含み得る。代替的に、ＡＰのような一団は、移動デバイスによる比較的短い稼働期間がカバレッジエリアに対する受信には十分であるような、十分な期間と繰り返しのキャリア（ビーコン）信号を提供する。さらに別の手段として、ＡＰは十分長い（例えば連続的）受信期間を有し得る。この期間は、稼働期間中の移動デバイスからの極めて簡潔なビーコン信号が、ＡＰが通信セッションを開始するための、移動デバイスの位置決定、識別または休止サイクルへの同期には十分な期間である。
【００６０】
ブロック６１６において、無線ＡＰが利用可能であるかどうかに関する判定がなされる。利用可能な場合、ブロック６１８で認証が発生する。ＣＤＳネットワークエンティティは、移動デバイスがネットワーク通信外にある間移動デバイスでなされたいかなる選択要求または実行（ｆｕｌｆｉｌｌｍｅｎｔ）に対しても更新され得る（ブロック６２０）。ブロック６２２において、移動デバイスは、無線ＡＰによってキャッシュまたは記憶された要求されたコンテンツの少なくとも一部分を受信し得る。ブロック６２４において移動デバイスから要求されたコンテンツをキオスクが有する場合、ブロック６２６において要求されたコンテンツがアップロードされ得る。
【００６１】
ブロック６１６において、キオスクの無線ＡＰが利用可能でなかった場合、ブロック６２８において、別の加入移動デバイスへの、またはキオスクに対するノードを有するアドホックネットワークへの、Ｐ２Ｐ無線接続が可能であるかどうかの判定がなされ得る。可能である場合、利用可能なコンテンツのリストが交換され得る（ブロック６３０）。つぎに優先コンテンツの少なくとも一部分に対する要求と配信がなされ得る（ブロック６３２）。
【００６２】
ブロック６２８において、Ｐ２Ｐが利用可能でなかった場合、位置が更新され得るし（ブロック６３４）、ビーコン設定が更新され得るし（ブロック６３６）、および休止サイクルが調整または編集され得る（ブロック６３８）。プロセスは観測を続けるためにブロック６０６へ戻る。
【００６３】
選択されたメディアコンテンツの完全な受信の前または後に、移動デバイスは、ブロック６４０において、再生のためのデータの保全性およびＤＲＭ解読鍵の適用性を確認することを含み、受信されたコンテンツのカタログを作成する。配信における種々のエンティティの参加は支払い／請求目的のために記録され得る。ブロック６４２において、部分配信の場合、ブロック６４４において受信されたコンテンツは再生に適した形式に組み合わされ得る。これは連結および解読を必要とし得る。いくつかの態様において、ブロック６４６において、ホームネットワーク接続が利用可能であるかどうかに関する判定がなされる。利用可能である場合、この接続は、ブロック６４８において、外部デバイスでの再生のためにコンテンツを保管すること、またはデータを失うことを防ぐことを可能にする。
【００６４】
図７を参照して、キオスク／無線アクセスポイントがコンテンツ配信システムに参加するための例示的手法７００を例示する。リモートでまたはキオスクにおいて、例えば，ユーザから階層情報を受信すること、コンテンツトランザクションを解析すること、事例となる経験またはユーザ要求から手動入力された特性、等により、ある位置における顧客の特性化がブロック７０２において決定され得る。キオスクは予想される将来の顧客に対するメディアコンテンツをプル配信し得る（ブロック７０４）。
【００６５】
キオスクは、カバレッジエリア内の顧客を検知し報告し得る（ブロック７０６）。例えば、非参加の無線対応移動デバイスの数は加入キャンペーンの有効性に関するマーケティングデータをもたらし得る。特定のデバイス識別子の存在を、加入者であるか否かに関係なく、挙動のパターンを推定するために用い得る。検知されたがしかしメディアコンテンツの選択をしていない加入者は、その加入者への更なる広告のための機会を特定し得る。
【００６６】
ブロック７０８において、キオスクは予想された移動デバイスに対してネットワークからプッシュ配信されたメディアコンテンツを受信する。例えば、移動デバイスの移動経路は他のアクセスポイントとの最近の接触に基づいて予測されている。または挙動はメディアコンテンツを事前配置することに適した時間フレーム内にすぐにも到着することを示す。
【００６７】
ブロック７１０において、キオスクは広告および選択されたメディアコンテンツ配信するために、ＡＰ無線ネットワークを維持することと同様に離れているデバイスへのアドホックネットワーク接続を維持する。ブロック７１２において、キオスクは、加入者へ広告することに加えて、有利には、即時配信のためにキャッシュされた利用可能なメディアコンテンツに関して未加入である無線対応デバイスへ、広告を送信し得る。
【００６８】
ブロック７１４において、移動デバイスがメディアコンテンツを要求をしたかどうかに関する判定が行われる。要求している場合、移動デバイスはブロック７１６において認証される。この認証は、ローカル加入者データベースに基づいてオフラインで、またはネットワークＣＤＳとの連携によってオンラインでなされ得る（ブロック７１８）。複数の移動デバイス間の配布は、送信を待ち行列に入れることによって、管理される（ブロック７１９）。一態様において、最適待ち行列作成は、第１の要求者が、次の要求者へ残余の帯域を与えるか、またはコンテンツを次の要求者へダウンロードする前に送信の完了を待って、コンテンツを受信し得る合理的に最大のレートで転送することにより達成され得る。そのような最適化は各移動デバイスへのリンク品質とチャネル帯域幅制限に少なくとも一部基づき得る。待ち行列作成は、また、移動デバイスの１つからの第２の要求を実行する前に各移動デバイスからの単一の要求を順に満足させることにより、利用可能な無線リンク帯域を供給し得る。また、送信の最適化は、各移動デバイスとのリンク品質を考慮に入れ得る。例えば、特定のデバイスは、リンク品質が低い場合、総合的にデータ配信レートの達成に成功するように低優先度を与えられ得るかまたは無視され得る。要求に応答して、ブロック７２０において、識別された（選択された）コンテンツの少なくとも一部分は移動デバイスへ送信される。この送信は、ブロック７２０において、カバレッジエリア上でセッションの連続性を拡張するためにキオスクによって制御された多くのアクセスポイント間で連携され得る。ブロック７２２において、移動デバイスが、キオスクによって要求される格納されたメディアコンテンツを含むか否かの判定がなされる。含んでいる場合、ブロック７２４において要求がなされ、ブロック７２６においてアップロードが受信される。いくつかの事例において、移動デバイスは、電池電力を保持するために拒否し得る。ブロック７２８において、通信は切られる。配信のために送信されたメディアコンテンツの量の少なくとも概算はブロック７２４において紹介支払いのために報告される。このように、ネットワークＣＤＳに関してプッシュ配信またはプル配信されるとして、または移動デバイスからアップロードされるとして上で説明した１つまたは複数の形式の転送によって、キオスクがメディアコンテンツを受信することから利益を得ることが本開示によって認識されるべきである。
【００６９】
図８を参照して、ネットワーク中央制御器がコンテンツ配信システムに参加するための例示的な手法８００を例示する。ブロック８０２において、仲介者として動作するキオスクベンダと同様にエンドユーザとしてメディアコンテンツを受信するために移動デバイスとして参加するものを含む加入者データベースが維持される。ブロック８０４において、移動デバイスに関する位置報告が追跡され更新される。ブロック８０６において、コンテンツダウンロードは、キオスクによる要求、個々の移動デバイスからの通過要求、過去のトランザクションの特性化、または特定のキオスクの位置における階層データに基づく予測に基づいて、キオスクに対する待ち行列が作成される。ブロック８０８において、高トラヒック領域の解析により、インフラストラクチャの増加を保証するためにベンダ収入を生み出すことと同様に、別のベンダキオスクがＣＤＳのカバレッジエリアを拡大する能力を有する場所を識別し得る。ブロック８１０において、特定のトランザクションが完了に対して遅れているかどうかに関する判定がなされる。遅れている場合、ネットワークは、移動デバイスへのバックホールネットワーク伝送をスケジューリングし、または配信を満足させるためにキオスクの待ち行列へのダウンロードを優先させ得る（ブロック８１２）。受信されたトランザクション報告はベンダへの支払いのために定期的に用いられ得る。またキオスクへのまたは加入移動デバイスへのＰ２Ｐ配信のために用いられ得る（ブロック８１６）。さらに、移動デバイスはメディアコンテンツのダウンロードに対して請求され得る（ブロック８１８）。
【００７０】
上で説明されたことは種々の態様の例を含む。種々の態様を説明する目的のために部品または手法の考え得るありとあらゆる組合せを説明することは可能でないことは当然であるが、通常の当業者は多くの更なる組合せおよび置き換えが可能であることを認め得る。従って、本明細書は、添付された請求項の精神と範囲の中にあるそのようなすべての変更、修正、および変形を受け入れることを意図した。
【００７１】
用語「部品」、「モジュール」、「システム」等は、この出願で用いられる場合、ハードウェア、ハードウェアとソフトウェアの組合せ、ソフトウェア、または計算用ソフトウェアのいずれかである、計算機関連のエンティティを指すことが意図されている。例えば、部品は、非限定的に、プロセッサ上で実行するプロセス、プロセッサ、オブジェクト、エクゼキュータブル、実行のスレッド、プログラム、および／または計算機であり得る。例示として、サーバで実行するアプリケーションおよびサーバの双方は部品であり得る。１つまたは複数の部品はプロセスおよび／または実行のスレッド内にあり得るし、また部品は１つの計算機に局在および／または２つ以上の計算機間に分散され得る。
【００７２】
「例示的」という言葉は、ここでは例、事例、または例示として役立つことを意味するために用いられる。ここで「例示的」と説明されたいかなる態様または設計も、必ずしも他の態様または設計より好ましいまたは有利であると解釈されるべきではない。
【００７３】
詳細には、また、上述した部品、デバイス、回路、およびシステム等によって実行される種々の機能に関しては、そのような部品を説明するために用いられた（「手段」への参照を含む）用語は、別段の指示がない限り、たとえ開示された構造に厳密に等価でなくとも、ここに例示した例示的態様における機能を実行する説明した部品（例えば機能的均等物）の指定された機能を実行する任意の部品に対応するように意図される。これに関連して、種々の態様が種々の方法の動作および／またはイベントを実行するための計算機実行可能命令を有する計算機可読媒体と同様にシステムも含むこともまた認められるだろう。
【００７４】
さらに、いくつかの実施のただ１つに関して、特定の特徴が開示され得たが、そのような特徴は、任意の所与のまたは特定のアプリケーションのために望ましいおよび有利であり得る故に、他の実施の１つまたは複数の他の特徴と組み合わされ得る。さらに、用語「ｉｎｃｌｕｄｅ（含む）」、「ｉｎｃｌｕｄｉｎｇ（含んでいる）」、およびそれらの変形は詳細な説明または請求項のいずれかで用いられている限り、これらの用語は、用語「ｃｏｍｐｒｉｓｉｎｇ（含む）」にいわば類似して、包含的であることが意図されている。さらに、用語「または」、「もしくは」は、請求項の詳細な説明で用いられていれば、「非排他的論理和」を意味する。
【００７５】
さらに、認識されるであろうように、開示されたシステムおよび方法の種々の部分は人工知能、機械学習、または知識もしくはルールベースの部品、従属部品、プロセス、手段、手法、またはメカニズム（例えば、サポートベクトルマシン、神経回路網、エキスパートシステム、Ｂａｙｅｓｉａｎ信念ネットワーク、ファジィ論理、データ融合エンジン、分類器・・・）を含み得るかまたはそれらから成り得る。そのような部品は、とりわけ、システムおよび方法の部分をより効率的および知的にすると同様に、より適応的にするために、それらによって実行される一定のメカニズムまたはプロセスを自動化し得る。
【００７６】
上で説明した例示的システムを考慮して、開示の内容に従って実施され得る手法は、いくつかの流れ図を参照して説明されてきた。説明の簡単さのために、これらの手法は、一連のブロックとして示され説明されるが、いくつかのブロックは、ここに示し説明した順序と異なる順序でおよび／または他のブロックと同時に発生し得るため、特許請求内容がブロックの順序によって限定されないことが理解され認識されるべきである。さらに、すべての例示的ブロックがここに説明した手法を実施するように求められ得る訳ではない。追加的に、ここに開示された手法が、そのような手法を計算機に転送および伝達することを容易にするために製品に格納されることができることが、さらに理解されるべきである。用語「製品」は、ここに用いられると、任意の計算機可読デバイス、キャリア、または媒体からアクセス可能な計算機プログラムを包含することが意図されている。
【００７７】
さらに、開示された態様を実施するために、標準的プログラミングおよび／または工学的手法を用いて計算機を制御するための、ソフトウェア、ファームウェア、ハードウェアまたはそれらの任意の組合せを作り出す方法、装置、または製品として、１つまたは複数のバージョンが実施され得る。用語「製品」（または代替的に「計算機プログラム製品」）は、ここに用いられると、任意の計算機可読デバイス、キャリア、または媒体からアクセス可能な計算機プログラムを包含することを意図されている。例えば、計算機可読媒体は、非限定的に磁気記憶デバイス（例えば、ハードディスク、フロッピー（登録商標）ディスク、磁気ストリップ・・・）、光ディスク（例えば、コンパクトディスク（ＣＤ）、ディジタル多目的ディスク（ＤＶＤ）・・・）、スマートカード、およびフラッシュメモリデバイス（例えば、カード、スティック）を含み得る。追加的に、電子メールの送信および受信において、またはインターネットもしくはローカルエリアネットワーク（ＬＡＮ）のようなネットワークへのアクセスにおいて用いられるような計算機可読電子データを搬送するために、搬送波が採用され得ることが認識されるべきである。当業者は、当然、開示された態様の範囲を逸脱することなくこの構成に多くの変更がなされ得ることを認めるだろう。
【００７８】
ここに開示された実施例に関して説明された例示的な論理、論理ブロック、モジュール、および回路は、汎用プロセッサ、ディジタル信号プロセッサ（ＤＳＰ）、特定用途向ＩＣ（ＡＳＩＣ）、フィールドプログラマブルゲートアレイ（ＦＰＧＡ）もしくは他のプログラム可能論理回路、個別ゲートもしくはトランジスタ論理、個別ハードウェア部品、またはここに説明した機能を実行するように設計されたそれらの任意の組合せで実施または実行され得る。汎用プロセッサは、マイクロプロセッサであり得るが、代替的にはプロセッサは、任意の通常のプロセッサ、制御器、マイクロ制御器または状態機械であり得る。プロセッサはまた、計算デバイスの組合せ、例えばＤＳＰとマイクロプロセッサ、複数のマイクロプロセッサ、ＤＳＰコアと連係した１つまたは複数のマイクロプロセッサ、または任意の他のそのような構成、として実施され得る。付加的に、少なくとも１つのプロセッサは、上で説明した１つまたは複数のステップおよび／または動作を実行するように動作可能な１つまたは複数のモジュールを含み得る。
【００７９】
さらに、ここに開示された態様に関して説明された方法またはアルゴリズムのステップおよび／または動作は、直接ハードウェアで、プロセッサによって実行されるソフトウェアモジュールで、またはその２つの組合せで具体化され得る。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、可搬形ディスク、ＣＤ−ＲＯＭ、または当業者に既知の任意の他の形式の記憶媒体の中にあり得る。例示的記憶媒体は、プロセッサが情報を記憶媒体から読み出しおよび情報を記憶媒体に書き込むことができるようにプロセッサに接続され得る。代替的には、記憶媒体はプロセッサの構成部品であり得る。さらに、いくつかの態様において、プロセッサおよび記憶媒体はＡＳＩＣ内にあり得る。付加的に、ＡＳＩＣはユーザ端末内にあり得る。代替的に、プロセッサおよび記憶媒体は個別部品としてユーザ端末内にあり得る。付加的に、いくつかの態様において、方法またはアルゴリズムのステップおよび／または動作は、機械可読媒体および／または計算機可読媒体上に、コードおよび／または命令の１つもしくは任意の組合せもしくはセットとしてあり得る。これらは計算機プログラム製品に組み込まれ得る。
【００８０】
ここに全体的または部分的に、参照により組み込まれていると述べられたいかなる特許、刊行物、または他の開示された資料も、その組み込まれた資料が既存の定義、記述、または本開示で説明した他の開示資料と矛盾しない範囲においてのみ、ここに組み込まれることが認識されるべきである。そのように、および必要である限り、明示的に説明された開示は、ここに参照により組み込まれたいかなる相反する資料にも取って代わる。ここに参照により組み込まれると述べられたが、既存の定義、記述、または本開示で説明した他の開示資料とは相反するいかなる資料またはその部分も、既存の開示資料と組み込まれる資料との間に相反が生じない範囲でのみ組み込まれるだろう。
【図１】
2015201862.tif 000003
【図２】
2015201862.tif 000004
【図３】
2015201862.tif 000005
【図４】
2015201862.tif 000006
【図５】
2015201862.tif 000007
【図６】
2015201862.tif 000008
【図７】
2015201862.tif 000009
【図８】
2015201862.tif 000010
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
無線でメディアコンテンツを取得するための方法であって、
ユーザインターフェースを介してユーザからメディアコンテンツ選択を受信することと、
ローカル記憶装置からの前記選択されたメディアコンテンツにアクセス済みの無線アクセスポイントからの前記選択されたメディアコンテンツの第１の部分を受信することと、
無線通信チャネルからの前記選択されたメディアコンテンツの第２の部分を要求することおよび受信することと、
前記選択されたメディアコンテンツの少なくとも一部分の受信をネットワーク制御器へ報告することと、
を備える方法。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
無線でメディアコンテンツを取得するための方法であって、
移動デバイスが、メディアコンテンツの購入を無線で開始することと、
前記移動デバイスが、ユーザインターフェースを介してユーザからメディアコンテンツの選択を受信することと、
前記移動デバイスが、前記メディアコンテンツの購入を開始することに関連して、前記選択されたメディアコンテンツを受信するための許可を受信することと、
前記移動デバイスが、前記選択されたメディアコンテンツの第１の部分を要求することおよび受信することと、
前記移動デバイスが、ピアツーピア通信を通じて、無線通信チャネルから、前記選択されたメディアコンテンツの第２の部分を要求することおよび受信することと、
前記移動デバイスが、前記選択されたメディアコンテンツの少なくとも一部分の受信をネットワーク制御器へ報告することと、
を備える、方法。
【請求項２】
前記移動デバイスが、ビーコン信号を受信することと、
前記移動デバイスが、前記ビーコン信号に基づいてカバレッジエリア表示を表示することと、
をさらに備える、請求項１に記載の方法。
【請求項３】
前記移動デバイスが、電力節減のために休止サイクルを実行することと、
前記移動デバイスが、ベンダ提供アクセスポイントおよび前記無線通信チャネルとの通信範囲の外にあるという決定に応答して、無線通信に対して前記休止サイクルに入ることと、
をさらに備える、請求項１に記載の方法。
【請求項４】
無線でメディアを取得するための装置であって、
メモリ装置と、
前記メモリ装置に結合され、
ユーザインターフェースを介してユーザからメディアコンテンツ選択を受信するための第１のモジュールと、
前記選択されたメディアコンテンツの第１の部分を受信するための第２のモジュールと、  ピアツーピア通信を通じて、無線通信チャネルから、前記選択されたメディアコンテンツの第２の部分を要求しおよび受信するための第３のモジュールと、
前記選択されたメディアコンテンツの少なくとも一部分の受信をネットワーク制御器へ報告するための第４のモジュールと、
を実装するように協働可能なプロセッサと、
を備える装置。
【請求項５】
計算機によって実行されるときに、前記計算機に、
移動デバイスが、メディアコンテンツの購入を無線で開始させ、
前記移動デバイスが、ユーザインターフェースを介してユーザからメディアコンテンツ選択を受信させ、
前記移動デバイスが、無線アクセスポイントから、前記選択されたメディアコンテンツの少なくとも第１の部分を要求させおよび受信させ、
前記移動デバイスが、ピアツーピア通信を通じて、無線チャネルから、前記選択されたメディアコンテンツの第２の部分を要求させおよび受信させ、
前記移動デバイスが、前記選択されたメディアコンテンツの少なくとも一部分の受信をネットワーク制御器へ報告させる
命令を備える非トランジトリな計算機プログラム。
【請求項６】
無線でメディアコンテンツを取得するための装置であって、
ユーザインターフェースを介してユーザからメディアコンテンツ選択を受信するための手段と、
メディアコンテンツの購入を開始することに関連して、選択されたメディアコンテンツを受信するための許可を無線で受信するための手段と、
無線アクセスポイントから、前記選択されたメディアコンテンツの少なくとも第１の部分を要求しおよび受信するための手段と、
ピアツーピア通信を通じて、無線通信チャネルから、前記選択されたメディアコンテンツの第２の部分を要求しおよび受信するための手段と、
前記選択されたメディアコンテンツの少なくとも一部分の受信をネットワーク制御器へ報告するための手段と、
を備える装置。
【請求項７】
無線でメディアコンテンツを取得するための移動装置であって、
ユーザからメディアコンテンツ選択を受信するためのユーザインターフェース装置と、
メディアコンテンツの購入を開始することに関連して、選択されたメディアコンテンツを受信するための許可を受信するための無線通信装置と、
無線アクセスポイントから、前記選択されたメディアコンテンツの少なくとも第１の部分を要求し、受信するための装置と、
ピアツーピア通信を通じて、ワイヤレス通信チャネルから、前記選択されたメディアコンテンツの第２の部分を要求し、受信するための装置と、
前記選択されたメディアコンテンツの少なくとも一部分の受信をネットワーク制御器へ報告するための装置と、
を備える移動装置。
【手続補正２】
【補正対象書類名】明細書
【補正対象項目名】００８０
【補正方法】変更
【補正の内容】
【００８０】
ここに全体的または部分的に、参照により組み込まれていると述べられたいかなる特許、刊行物、または他の開示された資料も、その組み込まれた資料が既存の定義、記述、または本開示で説明した他の開示資料と矛盾しない範囲においてのみ、ここに組み込まれることが認識されるべきである。そのように、および必要である限り、明示的に説明された開示は、ここに参照により組み込まれたいかなる相反する資料にも取って代わる。ここに参照により組み込まれると述べられたが、既存の定義、記述、または本開示で説明した他の開示資料とは相反するいかなる資料またはその部分も、既存の開示資料と組み込まれる資料との間に相反が生じない範囲でのみ組み込まれるだろう。
以下に、本願出願の当初の特許請求の範囲に記載された発明を付記する。
［Ｃ１］
無線でメディアコンテンツを取得するための方法であって、
ユーザインターフェースを介してユーザからメディアコンテンツ選択を受信することと、
ローカル記憶装置からの前記選択されたメディアコンテンツにアクセス済みの無線アクセスポイントからの前記選択されたメディアコンテンツの第１の部分を受信することと、
無線通信チャネルからの前記選択されたメディアコンテンツの第２の部分を要求することおよび受信することと、
前記選択されたメディアコンテンツの少なくとも一部分の受信をネットワーク制御器へ報告することと、
を備える方法。
［Ｃ２］
前記無線通信チャネルの前記プロバイダは、別の加入携帯デバイスである、Ｃ１に記載の方法。
［Ｃ３］
前記無線通信チャネルの前記プロバイダは、別のベンダ提供アクセスポイントである、Ｃ１に記載の方法。
［Ｃ４］
前記選択は、前記ベンダ提供アクセスポイントおよび前記無線通信チャネルによる通信カバレッジの外のとき、前記ユーザインターフェースを介して前記ユーザからなされる、Ｃ１に記載の方法。
［Ｃ５］
ダウンロードの進行を前記ユーザインターフェースを介して前記ユーザに表示することをさらに備える、Ｃ１に記載の方法。
［Ｃ６］
ディスプレイモニタによる再生のために前記格納されたメディアコンテンツを送信することをさらに備える、Ｃ１に記載の方法。
［Ｃ７］
前記ベンダ提供アクセスポイントからの前記加入携帯デバイスに格納されたメディアコンテンツに対する要求を受信することと、
前記要求されたメディアコンテンツを加入者支払いを受けるために無線でアップロードすることと、
をさらに備える、Ｃ１に記載の方法。
［Ｃ８］
ビーコン信号を受信することをさらに備える、Ｃ１に記載の方法。
［Ｃ９］
前記ビーコン信号に基づいてカバレッジエリア表示を表示することをさらに備える、Ｃ８に記載の方法。
［Ｃ１０］
ビーコン信号を送信することをさらに備える、Ｃ１に記載の方法。
［Ｃ１１］
電力節減のために休止サイクルを実行することをさらに備える、Ｃ１に記載の方法。
［Ｃ１２］
前記ベンダ提供アクセスポイントおよび前記無線通信チャネルとの通信カバレッジの外にあるという決定に応答して、無線通信に対して前記休止サイクルに入ることをさらに備える、請求上１０に記載の方法。
［Ｃ１３］
前記休止サイクルの稼働期間中にビーコン信号を送信することをさらに備える、Ｃ１１に記載の方法。
［Ｃ１４］
前記加入者の携帯デバイスの動きを検知することに応答して前記休止サイクルの期間を調整することをさらに備える、Ｃ１１に記載の方法。
［Ｃ１５］
前記加入者の携帯デバイスの、前記ベンダ提供アクセスポイントの既知の位置との相対的な地理的位置を検知することに応答して、休止サイクルの期間を調整することをさらに備える、Ｃ１１に記載の方法。
［Ｃ１６］
前記加入者の携帯デバイスとホームキオスクとの間でメディアコンテンツを同期させることをさらに備える、Ｃ１に記載の方法。
［Ｃ１７］
前記加入者の携帯デバイスの構成要素であるユーザインターフェースを介してユーザからメディアコンテンツ選択を受信することと、
受信された後および前記構成要素のユーザインターフェースにローカルに格納された後に前記メディアコンテンツを再生することと、
をさらに備える、Ｃ１に記載の方法。
［Ｃ１８］
複数の利用可能な選択肢を備えるメディアコンテンツカタログを受信することをさらに備える、Ｃ１に記載の方法。
［Ｃ１９］
メディアコンテンツのカテゴリーを備える選択を受信することをさらに備える、Ｃ１に記載の方法。
［Ｃ２０］
メディアコンテンツの問い合わせを備える選択を受信することをさらに備える、Ｃ１に記載の方法。
［Ｃ２１］
無線でメディアコンテンツを取得するための少なくとも１つのプロセッサであって、
ユーザインターフェースを介してユーザからメディアコンテンツ選択を受信するための第１のモジュールと、
無線アクセスポイントを介してローカル記憶装置からの前記選択されたメディアコンテンツの第１の部分を受信しおよび格納するための第２のモジュールと、
無線通信チャネルからの前記選択されたメディアコンテンツの第２の部分を要求しおよび受信するための第３のモジュールと、
前記選択されたメディアコンテンツの少なくとも一部分の受信をネットワーク制御器へ報告するための第４のモジュールと、
を備えるプロセッサ。
［Ｃ２２］
無線でメディアコンテンツを取得するための計算機プログラム製品であって、
計算機に、ユーザインターフェースを介してユーザからメディアコンテンツ選択を受信させるための命令の第１のセットと、
前記計算機に、無線アクセスポイントを介してローカル記憶装置からの前記選択されたメディアコンテンツの第１の部分を受信させおよび格納させるための命令の第２のセットと、
前記計算機に、無線通信チャネルからの前記選択されたメディアコンテンツの第２の部分を要求させおよび受信させるための命令の第３のセットと、
前記計算機に、前記選択されたメディアコンテンツの少なくとも一部分の受信をネットワーク制御器へ報告させるための命令の第４のセットと、
を備える計算機可読記憶媒体、
を備える計算機プログラム製品。
［Ｃ２３］
無線でメディアコンテンツを取得するための装置であって、
ユーザインターフェースを介してユーザからメディアコンテンツ選択を受信するための手段と、
無線アクセスポイントを介してローカル記憶装置からの前記選択されたメディアコンテンツの第１の部分を受信しおよび格納するための手段と、
無線通信チャネルからの前記選択されたメディアコンテンツの第２の部分を要求しおよび受信するための手段と、
前記選択されたメディアコンテンツの少なくとも一部分の受信をネットワーク制御器へ報告するための手段と、
を備える装置。
［Ｃ２４］
無線でメディアコンテンツを取得するための装置であって、
アクセスかユーザからメディアコンテンツ選択を受信するためのユーザインターフェースと、
ローカル記憶装置内の前記選択されたメディアコンテンツにアクセスする無線アクセスポイントからの前記選択されたメディアコンテンツの第１の部分を受信するための、並びに無線通信チャネルからの前記選択されたメディアコンテンツの第２の部分を要求しおよび受信するための、通信モジュールと、
前記選択されたメディアコンテンツの少なくとも一部分の受信を前記通信モジュールを介してネットワーク制御器へ報告するためのコンテンツ配布制御器と、
を備える装置。
［Ｃ２５］
動きセンサをさらに含み、前記コンテンツ配布制御器が前記通信モジュールの休止サイクルを調整するために前記動きセンサに応答する、Ｃ２４に記載の装置。
［Ｃ２６］
位置決定モジュールをさらに含み、前記コンテンツ配布制御器が前記通信モジュールの休止サイクルを調整するため、および位置を前記ネットワーク制御器へ報告するために、前記位置決定モジュールに応答する、Ｃ２４に記載の装置。
［Ｃ２７］
前記ユーザインターフェースは、メディアコンテンツの選択および受信されたメディアコンテンツの再生のための、前記加入者の携帯デバイスの構成要素であるグラフィカルユーザインターフェースを備える、Ｃ２４に記載の装置。
［Ｃ２８］
メディアコンテンツを前記携帯デバイスと同期させるためのホームキオスクと、
前記メディアコンテンツを再生するために前記ホームキオスクと交信するディスプレイモニタと、
をさらに備える、Ｃ２４に記載の装置。
［Ｃ２９］
複数の利用可能な選択肢を備えるメディアコンテンツカタログを受信するための前記ユーザインターフェースをさらに備える、Ｃ２４に記載の装置。
［Ｃ３０］
メディアコンテンツのカテゴリーを備える選択を受信するための前記ユーザインターフェースをさらに備える、Ｃ２４に記載の装置。
［Ｃ３１］
メディアコンテンツの問い合わせを備える選択を受信するための前記ユーザインターフェースをさらに備える、Ｃ２４に記載の装置。
［Ｃ３２］
無線でメディアコンテンツを配布するための方法であって、
ユーザインターフェースを介してユーザからメディアコンテンツ選択を受信することと、
無線アクセスポイントを介してローカル記憶装置からの前記選択されたメディアコンテンツの第１の部分を、加入者の携帯デバイスへ送信することと、
無線通信チャネルからの前記選択されたメディアコンテンツの第２の部分を送信することと、
前記選択されたメディアコンテンツの少なくとも一部分の受信のネットワーク制御器への報告を受信することと、
を備える方法。
［Ｃ３３］
前記無線通信チャネルの前記プロバイダは、別の加入携帯デバイスである、Ｃ３２に記載の方法。
［Ｃ３４］
前記無線通信チャネルの前記プロバイダは、別のベンダ提供アクセスポイントである、Ｃ３２に記載の方法。
［Ｃ３５］
前記選択されたメディアコンテンツの前記第２の部分を、前記選択されたメディアコンテンツの前記ダウンロードの完了が遅延していると決定することに応答して、バックホールネットワークとしてセルラー電話通信チャネルから送信することをさらに備える、Ｃ３２に記載の方法。
［Ｃ３６］
低データレートの公衆回線網を介して複数のメディアコンテンツを複数のベンダアクセスポイントへ送信することと、
前記複数のメディアコンテンツの前記送信を反映するために前記カタログの配布を更新することと、
をさらに備える、Ｃ３２に記載の方法。
［Ｃ３７］
前記加入者の携帯デバイスによってメディアコンテンツの前記選択を認証することと、
前記加入者の携帯デバイスに対する位置報告を受信することと、
前記加入者の携帯デバイスと将来交信することになると予測されるベンダアクセスポイントへの前記メディアコンテンツの送信を優先することと、
をさらに備える、Ｃ３２に記載の方法。
［Ｃ３８］
加入者の携帯デバイスに、前記要求されたメディアコンテンツをベンダアクセスポイントへ無線でアップロードすることに対して支払うことをさらに備える、Ｃ３２に記載の方法。
［Ｃ３９］
休止サイクルの稼働期間中に、前記加入者の携帯デバイスによる受信のためのビーコンを送信することをさらに備える、Ｃ３２に記載の方法。
［Ｃ４０］
ローカルに利用可能な選択肢を反映するためにメディアコンテンツの実行できる選択肢にグラフィカルに注をつけることをさらに備える、Ｃ３２に記載の方法。
［Ｃ４１］
前記ネットワーク制御器において前記選択されたメディアコンテンツのダウンロードの進行を追跡することをさらに備える、Ｃ３２に記載の媒体。
［Ｃ４２］
ウェブポータルを介してユーザインターフェースを介してユーザからメディアコンテンツ選択を受信することと、
加入者および前記加入者の携帯デバイスを認証することと、
前記選択されたメディアコンテンツのダウンロードおよび再生のための許可を提供することと、
をさらに備える、Ｃ３２に記載の方法。
［Ｃ４３］
広告コンテンツを前記メディアコンテンツと組み合わせることをさらに備える、Ｃ３２に記載の方法。
［Ｃ４４］
選択された表示品質と伝送レートに対して前記メディアコンテンツをディジタル圧縮することをさらに備える、Ｃ３２に記載の方法。
［Ｃ４５］
前記メディアコンテンツの少なくとも一部分の受信の前記報告に基づいて請求トランザクションを開始することをさらに備える、Ｃ３２に記載の方法。
［Ｃ４６］
前記メディアコンテンツの少なくとも一部分の配信に基づいて仲介者への支払い請求（ｂｉｌｌｉｎｇ  ｃｒｅｄｉｔ）を開始することをさらに備える、Ｃ４５に記載の方法。
［Ｃ４７］
前記加入者の携帯デバイスに対するアカウントへの負債請求（ｂｉｌｌｉｎｇ  ｄｅｂｉｔ）を開始することをさらに備える、Ｃ４５に記載の方法。
［Ｃ４８］
複数の利用可能な選択肢を備えるメディアコンテンツカタログをさらに備える、Ｃ３２に記載の方法。
［Ｃ４９］
メディアコンテンツのカテゴリーを備える選択を受信することをさらに備える、Ｃ３２に記載の方法。
［Ｃ５０］
メディアコンテンツの問い合わせを備える選択を受信することをさらに備える、Ｃ３２に記載の方法。
［Ｃ５１］
無線でメディアコンテンツを配布するための少なくとも１つのプロセッサであって、
ユーザインターフェースを介してユーザからメディアコンテンツ選択を受信するための第１のモジュールと、
無線アクセスポイントを介してローカル記憶装置からの前記選択されたメディアコンテンツの第１の部分を、加入者の携帯デバイスへ送信するための第２のモジュールと、
無線通信チャネルからの前記選択されたメディアコンテンツの第２の部分を送信するための第３のモジュールと、
前記選択されたメディアコンテンツの少なくとも一部分の受信のネットワーク制御器への報告を受信するための第４のモジュールと、
を備えるプロセッサ。
［Ｃ５２］
無線でメディアコンテンツを配布するための計算機プログラム製品であって、
計算機に、ユーザインターフェースを介してユーザからメディアコンテンツ選択を受信させるための命令の第１のセットと
前記計算機に、無線アクセスポイントを介してローカル記憶装置からの前記選択されたメディアコンテンツの第１の部分を、加入者の携帯デバイスへ送信させるための命令の第２のセットと、
前記計算機に、無線通信チャネルからの前記選択されたメディアコンテンツの第２の部分を送信させるための命令の第３のセットと、
前記計算機に、前記選択されたメディアコンテンツの少なくとも一部分の受信のネットワーク制御器への報告を受信させるための命令の第４のセットと、
を備える計算機可読記憶媒体、
を備える計算機プログラム製品。
［Ｃ５３］
無線でメディアコンテンツを配布するための装置であって、
ユーザインターフェースを介してユーザからメディアコンテンツ選択を受信するための手段と、
無線アクセスポイントを介してローカル記憶装置からの前記選択されたメディアコンテンツの第１の部分を、加入者の携帯デバイスへ送信するための手段と、
無線通信チャネルからの前記選択されたメディアコンテンツの第２の部分を送信するための手段と、
前記選択されたメディアコンテンツの少なくとも一部分の受信のネットワーク制御器への報告を受信するための手段と、
を備える装置。
［Ｃ５４］
無線でメディアコンテンツを配布するための装置であって、
ユーザインターフェースを介してユーザからメディアコンテンツ選択を受信するための通信モジュールと、
ローカル記憶装置からの前記選択されたメディアコンテンツの第１の部分を、加入者の携帯デバイスへ送信するためのベンダアクセスポイントと、
前記選択されたメディアコンテンツの第２の部分を送信するための無線通信チャネルと、
前記選択されたメディアコンテンツの少なくとも一部分の受信のネットワーク制御器への報告を受信するための請求モジュールと、
を備える装置。
［Ｃ５５］
ダウンロードデータを位置によって観測することと、
前記観測されたデータに基づいて前記ベンダアクセスポイントの前記ローカル記憶装置へのコンテンツ送信の優先順位をつけ直すことと、
をさらに備える、Ｃ５４に記載の装置。
［Ｃ５６］
駐車場の少なくとも一部分の無線カバレッジに対して配置された複数のアンテナと、
前記ローカル記憶装置と、
駐車中の車両に置かれた前記加入者の携帯デバイスへ前記ローカル記憶装置から送信するために前記複数のアンテナを介して無線で通信する複数のアクセスポイントと、
をさらに備える、Ｃ５４に記載の装置。
［Ｃ５７］
歩道橋の少なくとも一部分の無線カバレッジに対する複数のアンテナと、
前記ローカル記憶装置と、
前記歩道橋に沿って運ばれる前記加入者の携帯デバイスへ前記複数のアンテナを介して無線で通信する複数のアクセスポイントと、
をさらに備える、Ｃ５６に記載の装置。
［Ｃ５８］
前記メディアコンテンツの少なくとも一部分の受信の前記報告によって開始される請求トランザクションを実行するための請求部品をさらに備える、Ｃ５４に記載の装置。
［Ｃ５９］
前記メディアコンテンツの少なくとも一部分の配信に対する仲介者への支払い請求を実行するための前記請求部品をさらに備える、Ｃ５６に記載の装置。
［Ｃ６０］
前記加入者の携帯デバイスのアカウントに負債請求を実行する前記請求部品をさらに備える、Ｃ５４に記載の装置。
［Ｃ６１］
複数の利用可能な選択肢を備えるメディアコンテンツカタログを送るための通信モデルをさらに備える、Ｃ５４に記載の装置。
［Ｃ６２］
メディアコンテンツのカテゴリーを備える選択を受信するための前記通信モジュールをさらに備える、Ｃ５４に記載の装置。
［Ｃ６３］
メディアコンテンツの問い合わせを備える選択を受信するための前記通信モジュールをさらに備える、Ｃ５４に記載の装置。
【外国語明細書】
2015201862000001.pdf